(57)【要約】【課題】所定の条件が満たされると追加収納部に収納されている貨幣を回収することを操作者に促すことができるため、貨幣の装填処理によって追加収納部に収納されている貨幣を有効に活用することができる貨幣処理装置、貨幣処理システムおよび貨幣処理方法を提供する。【解決手段】貨幣処理装置（例えば、貨幣入出金機１）は、搬送部から送られた貨幣を収納するとともに収納されている貨幣を繰出可能な収納繰出部（例えば、金種別バラ紙幣収納部３４や収納繰出部１５２）と、搬送部から送られた貨幣を収納するとともに収納されている貨幣を繰出不可な追加収納部（例えば、混合バラ紙幣収納部３２やバラ硬貨一括収納箱１９８）と、追加収納部に収納された貨幣の量が所定量以上になるとこの情報を報知する報知手段（例えば、操作表示部３０２）とを備えている。【選択図】図８
2017126110.tif 000002
【特許請求の範囲】
【請求項１】
筐体の外部から内部に貨幣を投入するための投入部と、
前記筐体の内部で貨幣を搬送する搬送部と、
前記搬送部により搬送される貨幣を識別する識別部と、
前記搬送部から送られた貨幣を収納するとともに収納されている貨幣を繰出可能な収納繰出部と、
前記搬送部から送られた貨幣を収納するとともに収納されている貨幣を繰出不可な追加収納部と、
前記追加収納部に収納された貨幣の量が所定量以上になるとこの情報を報知する報知手段と、
を備えた、貨幣処理装置。
【請求項２】
前記報知手段は、前記追加収納部に収納された貨幣の量が所定量以上になるとこの情報を表示する表示部を有している、請求項１記載の貨幣処理装置。
【請求項３】
前記報知手段は、前記追加収納部に収納された貨幣の量が所定量以上になるとこの情報を外部装置に送信する通信部を有している、請求項１記載の貨幣処理装置。
【請求項４】
前記報知手段は、前記識別部による識別情報に基づく、前記追加収納部に収納されたオーバーフロー貨幣、前記収納繰出部に割り当てられていない金種の貨幣および損貨幣の合計量が所定量以上になるとこの情報を報知する、請求項１乃至３のいずれか一項に記載の貨幣処理装置。
【請求項５】
前記追加収納部に収納された貨幣の量が満杯になったときにこのことを検知する第１検知部および前記追加収納部に収納された貨幣の量が所定量に達したときにこのことを検知する第２検知部がそれぞれ前記追加収納部に設けられており、
前記報知手段は、前記追加収納部に収納された貨幣の量が所定量に達したことが前記第２検知部により検知されたときに前記追加収納部に収納された貨幣の量が所定量以上であるという情報を報知する、請求項１乃至３のいずれか一項に記載の貨幣処理装置。
【請求項６】
前記報知手段において判断基準となる所定量を設定する設定手段を更に備えた、請求項１乃至５のいずれか一項に記載の貨幣処理装置。
【請求項７】
前記追加収納部から貨幣が取り出されると、投入部により前記筐体の外部から内部に投入された貨幣が前記識別部により識別された後に当該識別部による識別結果に基づいて前記収納繰出部または前記追加収納部に送られるような装填処理が自動で行われるようになっている、請求項１乃至６のいずれか一項に記載の貨幣処理装置。
【請求項８】
前記識別部による識別結果に基づいて、前記追加収納部に収納されている貨幣の金種毎の数を記憶する記憶部を更に備え、
前記報知手段は、前記収納繰出部における貨幣の収納量が所定の下限量以下になったときに、前記追加収納部に収納されている貨幣のうち当該収納繰出部に対応する金種の貨幣の数が所定の基準量以上であればこの情報を報知する、請求項１乃至７のいずれか一項に記載の貨幣処理装置。
【請求項９】
前記報知手段は、前記追加収納部に収納された貨幣の量として貨幣の合計枚数、合計金額および種類別の枚数のうち少なくともいずれかの量が所定量以上になるとこの情報を報知する、請求項１記載の貨幣処理装置。
【請求項１０】
筐体の外部から内部に貨幣を投入するための投入部と、
前記筐体の内部で貨幣を搬送する搬送部と、
前記搬送部により搬送される貨幣を識別する識別部と、
前記搬送部から送られた貨幣を収納するとともに収納されている貨幣を繰出可能な収納繰出部と、
前記搬送部から送られた貨幣を収納するとともに収納されている貨幣を繰出不可な追加収納部と、
前記識別部による識別結果に基づいて、前記追加収納部に収納されている貨幣の金種毎の数を記憶する記憶部と、
前記収納繰出部における貨幣の収納量が所定の下限量以下になったときに、前記追加収納部に収納されている貨幣のうち当該収納繰出部に対応する金種の貨幣の数が所定の基準量以上であればこの情報を報知する報知手段と、
を備えた、貨幣処理装置。
【請求項１１】
筐体の外部から内部に貨幣を投入するための投入部、前記筐体の内部で貨幣を搬送する搬送部、前記搬送部により搬送される貨幣を識別する識別部、前記搬送部から送られた貨幣を収納するとともに収納されている貨幣を繰出可能な収納繰出部、前記搬送部から送られた貨幣を収納するとともに収納されている貨幣を繰出不可な追加収納部を有する貨幣処理装置と、
前記貨幣処理装置とは別に設けられ、当該貨幣処理装置の管理を行う管理装置と、
を備えた貨幣処理システムであって、
前記貨幣処理装置の前記追加収納部に収納された貨幣の量が所定量以上になるとこの情報を報知する報知手段を備えた、貨幣処理システム。
【請求項１２】
前記報知手段は前記管理装置に設けられている、請求項１１記載の貨幣処理システム。
【請求項１３】
投入部により筐体の外部から内部に貨幣を投入する工程と、
前記投入部により前記筐体の内部に投入された貨幣を搬送部により前記筐体の内部で搬送する工程と、
前記搬送部により搬送される貨幣を識別部により識別する工程と、
前記識別部により識別された貨幣を、当該識別部による識別結果に基づいて、貨幣を収納するとともに収納されている貨幣を繰出可能な収納繰出部、または貨幣を収納するとともに収納されている貨幣を繰出不可な追加収納部に送る工程と、
前記追加収納部に収納された貨幣の量が所定量以上になるとこの情報を報知する工程と、
を備えた、貨幣処理方法。
【発明の詳細な説明】
【技術分野】
【０００１】
本発明は、紙幣や硬貨等からなる貨幣の入金処理や出金処理を行う貨幣処理装置、このような貨幣処理装置を備えた貨幣処理システムおよびこのような貨幣処理装置による貨幣処理方法に関する。
【背景技術】
【０００２】
紙幣の入金処理や出金処理を行う紙幣入出金装置として従来から様々なタイプのものがある（例えば、特許文献１等参照）。特許文献１に開示される紙幣入出金装置では、紙幣の入金処理を行う際に、筐体の外部から内部に投入された紙幣は識別部により識別された後に入金一時保留部に保留され、入金一時保留部に保留されている紙幣について入金確定の指令が与えられると入金一時保留部から金種別収納部に金種毎に紙幣が送られるようになっている。また、特許文献１に開示される紙幣入出金装置では、紙幣の出金処理を行う際に、金種別収納部から紙幣が繰り出されて筐体の外部に投出されるようになっている。なお、出金されるべき紙幣の金種に対応する金種別収納部が空の状態となると、出金処理が停止されるようになる。また、特許文献１に開示される紙幣入出金装置では、金種別収納部とは別に一括収納部が設けられており、紙幣の入金処理が行われる際に、対応する金種の金種別収納部が満杯であり当該金種別収納部に収納することができないオーバーフロー紙幣、金種別収納部に割り当てられていない金種の紙幣（例えば、二千円札）、出金処理において出金されるのに適していない損券、一時保留部からの繰出不良紙幣等が一括収納部に収納されるようになっている。
【先行技術文献】
【特許文献】
【０００３】
【特許文献１】特願２０１５−０１８９１３
【発明の概要】
【発明が解決しようとする課題】
【０００４】
特許文献１に開示されるような従来の紙幣入出金装置では、一括収納部には当該一括収納部に収納されている紙幣を繰り出すための繰出機構が設けられていないため、一括収納部に送られた紙幣は自動で筐体内の他の箇所に送ることができず、操作者が一括収納部を筐体から引き出してこの一括収納部から手作業で紙幣を取り出す必要があった。
【０００５】
ここで、一括収納部に収納されている紙幣のうち、オーバーフロー紙幣や一時保留部からの繰出不良紙幣は、損券とは異なり紙幣自体には問題なく、出金処理において出金可能な紙幣として用いることができる。しかしながら、上述するように一括収納部には繰出機構が設けられていないため、出金処理において出金可能な紙幣が一括収納部に収納されているにもかかわらず、出金処理において金種別収納部の紙幣が足りなくなると出金処理が停止されてしまうという問題があった。また、一括収納部が満杯状態となると、オーバーフロー紙幣や金種別収納部に割り当てられていない金種の紙幣の受け入れ先が無くなってしまい、入金処理が停止してしまうという問題があった。
【０００６】
本発明は、このような点を考慮してなされたものであり、所定の条件が満たされると追加収納部に収納されている貨幣を回収することを操作者に促すことができるため、貨幣の装填処理によって追加収納部に収納されている貨幣を有効に活用することができる貨幣処理装置、貨幣処理システムおよび貨幣処理方法を提供する。
【課題を解決するための手段】
【０００７】
本発明の貨幣処理装置は、筐体の外部から内部に貨幣を投入するための投入部と、前記筐体の内部で貨幣を搬送する搬送部と、前記搬送部により搬送される貨幣を識別する識別部と、前記搬送部から送られた貨幣を収納するとともに収納されている貨幣を繰出可能な収納繰出部と、前記搬送部から送られた貨幣を収納するとともに収納されている貨幣を繰出不可な追加収納部と、前記追加収納部に収納された貨幣の量が所定量以上になるとこの情報を報知する報知手段と、を備えたことを特徴とする。
【０００８】
このような貨幣処理装置によれば、貨幣を繰出不可な追加収納部に収納された貨幣の量が所定量以上になるとこの情報を報知手段により報知することにより、追加収納部に収納されている貨幣を回収することを操作者に促すことができるため、貨幣の装填処理によって追加収納部に収納されている貨幣を有効に活用することができる。
【０００９】
本発明の貨幣処理装置においては、前記報知手段は、前記追加収納部に収納された貨幣の量が所定量以上になるとこの情報を表示する表示部を有していてもよい。
【００１０】
あるいは、前記報知手段は、前記追加収納部に収納された貨幣の量が所定量以上になるとこの情報を外部装置に送信する通信部を有していてもよい。
【００１１】
本発明の貨幣処理装置においては、前記報知手段は、前記識別部による識別情報に基づく、前記追加収納部に収納されたオーバーフロー貨幣、前記収納繰出部に割り当てられていない金種の貨幣および損貨幣の合計量が所定量以上になるとこの情報を報知するようになっていてもよい。
【００１２】
あるいは、前記追加収納部に収納された貨幣の量が満杯になったときにこのことを検知する第１検知部および前記追加収納部に収納された貨幣の量が所定量に達したときにこのことを検知する第２検知部がそれぞれ前記追加収納部に設けられており、前記報知手段は、前記追加収納部に収納された貨幣の量が所定量に達したことが前記第２検知部により検知されたときに前記追加収納部に収納された貨幣の量が所定量以上であるという情報を報知するようになっていてもよい。
【００１３】
本発明の貨幣処理装置は、前記報知手段において判断基準となる所定量を設定する設定手段を更に備えていてもよい。
【００１４】
本発明の貨幣処理装置においては、前記追加収納部から貨幣が取り出されると、投入部により前記筐体の外部から内部に投入された貨幣が前記識別部により識別された後に当該識別部による識別結果に基づいて前記収納繰出部または前記追加収納部に送られるような装填処理が自動で行われるようになっていてもよい。
【００１５】
本発明の貨幣処理装置は、前記識別部による識別結果に基づいて、前記追加収納部に収納されている貨幣の金種毎の数を記憶する記憶部を更に備え、前記報知手段は、前記収納繰出部における貨幣の収納量が所定の下限量以下になったときに、前記追加収納部に収納されている貨幣のうち当該収納繰出部に対応する金種の貨幣の数が所定の基準量以上であればこの情報を報知するようになっていてもよい。
【００１６】
本発明の貨幣処理装置においては、前記報知手段は、前記追加収納部に収納された貨幣の量として貨幣の合計枚数、合計金額および種類別の枚数のうち少なくともいずれかの量が所定量以上になるとこの情報を報知するようになっていてもよい。
【００１７】
本発明の貨幣処理装置は、筐体の外部から内部に貨幣を投入するための投入部と、前記筐体の内部で貨幣を搬送する搬送部と、前記搬送部により搬送される貨幣を識別する識別部と、前記搬送部から送られた貨幣を収納するとともに収納されている貨幣を繰出可能な収納繰出部と、前記搬送部から送られた貨幣を収納するとともに収納されている貨幣を繰出不可な追加収納部と、前記識別部による識別結果に基づいて、前記追加収納部に収納されている貨幣の金種毎の数を記憶する記憶部と、前記収納繰出部における貨幣の収納量が所定の下限量以下になったときに、前記追加収納部に収納されている貨幣のうち当該収納繰出部に対応する金種の貨幣の数が所定の基準量以上であればこの情報を報知する報知手段と、を備えたことを特徴とする。
【００１８】
このような貨幣処理装置によれば、追加収納部に収納されている貨幣の金種毎の数が記憶部に記憶されるようになっており、収納繰出部における貨幣の収納量が所定の下限量以下になったときに、追加収納部に収納されている貨幣のうち当該収納繰出部に対応する金種の貨幣の数が所定の基準量以上であればこの情報が報知手段により報知される。このことによって、報知手段により報知が行われた操作者が追加収納部から貨幣を取り出して装填処理を行うことにより、貨幣の収納量が所定の下限量より少なくなっているような収納繰出部に貨幣を補充することができるため、当該収納繰出部におけるエンプティ状態やニアエンプティ状態を解消することができるようになる。
【００１９】
本発明の貨幣処理システムは、筐体の外部から内部に貨幣を投入するための投入部、前記筐体の内部で貨幣を搬送する搬送部、前記搬送部により搬送される貨幣を識別する識別部、前記搬送部から送られた貨幣を収納するとともに収納されている貨幣を繰出可能な収納繰出部、前記搬送部から送られた貨幣を収納するとともに収納されている貨幣を繰出不可な追加収納部を有する貨幣処理装置と、前記貨幣処理装置とは別に設けられ、当該貨幣処理装置の管理を行う管理装置と、を備えた貨幣処理システムであって、前記貨幣処理装置の前記追加収納部に収納された貨幣の量が所定量以上になるとこの情報を報知する報知手段を備えたことを特徴とする。
【００２０】
このような貨幣処理システムによれば、貨幣処理装置において貨幣を繰出不可な追加収納部に収納された貨幣の量が所定量以上になるとこの情報を報知手段により報知することにより、追加収納部に収納されている貨幣を回収することを操作者に促すことができるため、貨幣の装填処理によって追加収納部に収納されている貨幣を有効に活用することができる。
【００２１】
本発明の貨幣処理システムにおいては、前記報知手段は前記管理装置に設けられていてもよい。
【００２２】
本発明の貨幣処理方法は、投入部により筐体の外部から内部に貨幣を投入する工程と、前記投入部により前記筐体の内部に投入された貨幣を搬送部により前記筐体の内部で搬送する工程と、前記搬送部により搬送される貨幣を識別部により識別する工程と、前記識別部により識別された貨幣を、当該識別部による識別結果に基づいて、貨幣を収納するとともに収納されている貨幣を繰出可能な収納繰出部、または貨幣を収納するとともに収納されている貨幣を繰出不可な追加収納部に送る工程と、前記追加収納部に収納された貨幣の量が所定量以上になるとこの情報を報知する工程と、を備えたことを特徴とする。
【００２３】
このような貨幣処理方法によれば、貨幣を繰出不可な追加収納部に収納された貨幣の量が所定量以上になるとこの情報を報知することにより、追加収納部に収納されている貨幣を回収することを操作者に促すことができるため、貨幣の装填処理によって追加収納部に収納されている貨幣を有効に活用することができる。
【発明の効果】
【００２４】
本発明の貨幣処理装置、貨幣処理システムおよび貨幣処理方法によれば、所定の条件が満たされると追加収納部に収納されている貨幣を回収することを操作者に促すことができるため、貨幣の装填処理によって追加収納部に収納されている貨幣を有効に活用することができる。
【図面の簡単な説明】
【００２５】
【図１】本発明の実施の形態による貨幣入出金機の外観を示す斜視図である。
【図２】図１に示す貨幣入出金機における紙幣入出金装置を右側方から見たときの内部構成を概略的に示す概略構成図である。
【図３】図１に示す貨幣入出金機における硬貨入出金装置を左側方から見たときの内部構成を概略的に示す概略構成図である。
【図４】図１に示す貨幣入出金機における制御系の構成を示す機能ブロック図である。
【図５】図１に示す貨幣入出金機の紙幣入出金装置においてバラ紙幣の入金処理が行われる際の動作を示すフローチャートである。
【図６】図１に示す貨幣入出金機の紙幣入出金装置においてバラ紙幣の入金処理が行われる際の動作を示すフローチャートである。
【図７】（ａ）（ｂ）は、図１に示す貨幣入出金機の紙幣入出金装置においてバラ紙幣の入金処理が行われる際のバラ紙幣の搬送経路を示す図であり、（ｃ）は、図１に示す貨幣入出金機の紙幣入出金装置においてバラ紙幣の装填処理が行われる際のバラ紙幣の搬送経路を示す図である。
【図８】図１に示す貨幣入出金機の紙幣入出金装置においてバラ紙幣の入金処理が行われる際に操作表示部に表示される画面を示す図である。
【図９】図１に示す貨幣入出金機の紙幣入出金装置においてバラ紙幣の装填処理が行われる際に操作表示部に表示される画面を示す図である。
【図１０】本発明の実施の形態による他の構成の貨幣入出金機の外観を示す斜視図である。
【図１１】図１０に示す貨幣入出金機の内部構成を概略的に示す概略構成図である。
【図１２】図１０に示す貨幣入出金機における制御系の構成を示す機能ブロック図である。
【発明を実施するための形態】
【００２６】
以下、図面を参照して本発明の実施の形態について説明する。図１乃至図９は、本実施の形態による貨幣入出金機を示す図である。このうち、図１は、本実施の形態による貨幣入出金機の外観を示す斜視図であり、図２および図３は、それぞれ、図１に示す貨幣入出金機における紙幣入出金装置および硬貨入出金装置の内部構成を概略的に示す概略構成図である。また、図４は、図１に示す貨幣入出金機における制御系の構成を示す機能ブロック図であり、図５および図６は、図１に示す貨幣入出金機の紙幣入出金装置においてバラ紙幣の入金処理が行われる際の動作を示すフローチャートである。また、図７（ａ）および図７（ｂ）は、図１に示す貨幣入出金機の紙幣入出金装置においてバラ紙幣の入金処理が行われる際のバラ紙幣の搬送経路を示す図であり、図７（ｃ）は、図１に示す貨幣入出金機の紙幣入出金装置においてバラ紙幣の装填処理が行われる際のバラ紙幣の搬送経路を示す図である。また、図８および図９は、それぞれ、図１に示す貨幣入出金機の紙幣入出金装置においてバラ紙幣の入金処理や装填処理が行われる際に操作表示部に表示される画面を示す図である。
【００２７】
図１に示すように、本実施の形態による貨幣入出金機１は、紙幣入出金装置１０および硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２８】
本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２９】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００３０】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図４参照）によりそれぞれ駆動されるようになっている。
【００３１】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００３２】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができないようになっている。
【００３３】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３４】
また、図２に示すように、搬送部１８には入金一時保留部３０、混合バラ紙幣収納部３２および複数（図２に示す例では３つ）の金種別バラ紙幣収納部３４がそれぞれ接続されており、搬送部１８からこれらの入金一時保留部３０、混合バラ紙幣収納部３２および各金種別バラ紙幣収納部３４にバラ紙幣が送られるようになっている。ここで、入金一時保留部３０、混合バラ紙幣収納部３２および各金種別バラ紙幣収納部３４にはそれぞれ図２における上下方向に移動可能となっているステージ３０ａ、３２ａ、３４ａが設けられており、これらのステージ３０ａ、３２ａ、３４ａ上でバラ紙幣が積層状態で集積されるようになっている。
【００３５】
また、入金一時保留部３０の上端部の近傍には紙幣繰出繰入部３０ｂが設けられており、当該入金一時保留部３０に一時的に保留されているバラ紙幣は紙幣繰出繰入部３０ｂにより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が混合バラ紙幣収納部３２や各金種別バラ紙幣収納部３４に収納される前に一時的に保留されるようになっている。
【００３６】
また、混合バラ紙幣収納部３２の上端部の近傍には紙幣繰入部３２ｂが設けられており、搬送部１８からこの紙幣繰入部３２ｂにより混合バラ紙幣収納部３２にバラ紙幣が１枚ずつ繰り入れられるようになっている。ここで、混合バラ紙幣収納部３２には、各金種別バラ紙幣収納部３４に割り当てられていない金種のバラ紙幣（例えば、二千円紙幣）や損券、ならびに後述するオーバーフロー紙幣等が混合状態で収納されるようになっている。なお、本実施の形態では、混合バラ紙幣収納部３２に収納されているバラ紙幣を搬送部１８に繰り出すことができないようになっている。
【００３７】
また、図２に示すように、混合バラ紙幣収納部３２には、当該混合バラ紙幣収納部３２にバラ紙幣が収納されて当該混合バラ紙幣収納部３２がフル状態となったことを検知する第１検知センサ８０、および混合バラ紙幣収納部３２に収納されるバラ紙幣の量が後述する所定量に達したことを検知する第２検知センサ８２がそれぞれ設けられている。ここで、第２検知センサ８２により検知されるバラ紙幣の所定量は、第１検知センサ８０により検知される混合バラ紙幣収納部３２がフル状態となるようなバラ紙幣の量よりも少なくなっている。
【００３８】
また、各金種別バラ紙幣収納部３４の上端部の近傍にはそれぞれ紙幣繰出繰入部３４ｂが設けられており、各金種別バラ紙幣収納部３４に収納されているバラ紙幣は紙幣繰出繰入部３４ｂにより１枚ずつ搬送部１８に繰り出されるようになっている。バラ紙幣の出金処理が行われる際に、各金種別バラ紙幣収納部３４から搬送部１８に繰り出されたバラ紙幣が当該搬送部１８により識別部２０に送られ、識別部２０により識別された後にバラ紙幣投出部２４に送られることによって、操作者はバラ紙幣投出部２４から出金紙幣を取り出すことができるようになる。また、各紙幣繰出繰入部３４ｂにより搬送部１８から各金種別バラ紙幣収納部３４にバラ紙幣が１枚ずつ繰り入れられるようになっている。ここで、各金種別バラ紙幣収納部３４には、それぞれ予め設定された特定の金種のバラ紙幣（例えば、千円紙幣、五千円紙幣および一万円紙幣からなる３つの金種のバラ紙幣）が金種毎に収納されるようになっている。
【００３９】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０、混合バラ紙幣収納部３２および各金種別バラ紙幣収納部３４は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４を引出ユニット１３から取り外したり引出ユニット１３に装着したりすることができるようになる。また、本実施の形態による紙幣入出金装置１０では、引出ユニット１３を筐体１２の内部にロックするためのロック機構５０（図４参照）が引出ユニット１３に設けられている。
【００４０】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００４１】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００４２】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に１または複数の帯封紙幣が受け渡された後、ステージ４６ａが図２における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００４３】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００４４】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００４５】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４６】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開くようになる。
【００４７】
次に、本実施の形態による貨幣入出金機１における硬貨入出金装置１１０の構成について図１および図３を用いて説明する。図１および図３に示すように、本実施の形態による硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。入金搬送部１２８は、入金繰出部１２０により繰り出されたバラ硬貨を図３における右端部分から左方向に搬送するようになっている。また、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、および入金識別部１２９により各々の金種の硬貨であると識別されたバラ硬貨を選別する複数の金種別選別部１３６がそれぞれ設けられている。
【００４８】
また、筐体１１２の内部には、任意選別部１３４や各金種別選別部１３６により選別されたバラ硬貨を金種毎に一時的に保留する入金一時保留部１４０、および入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４９】
図３に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構（図示せず）とを有している。
【００５０】
入金搬送部１２８は、入金繰出部１２０から繰り出されたバラ硬貨を搬送路に沿って図３における右端部分から左方向に搬送する搬送ベルトを有している。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られるようになっている。
【００５１】
また、図３に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図３に示すように、筐体１１２の内部には、リジェクト選別部１３０により選別されたリジェクト硬貨としてのバラ硬貨が集積される入金リジェクト部１３８、およびリジェクト選別部１３０から入金リジェクト部１３８にリジェクト硬貨としてのバラ硬貨を送る入金リジェクト用シュート１３１がそれぞれ設けられている。ここで、図１に示すように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出すことができるようになっている。
【００５２】
また、図３に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図３において二点鎖線で表示）に送られるべきバラ硬貨のことをいう。
【００５３】
また、図３に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。
【００５４】
また、図３に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部および底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部および底部が開口した枠体から構成されている。また、任意一時保留部１４２および金種別一時保留部１４４は互いに連結されており、これらの任意一時保留部１４２および金種別一時保留部１４４は一体的に水平方向に移動するようになっている。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止されるようになっている。また、入金一時保留部１４０は、任意一時保留部１４２および金種別一時保留部１４４を水平方向に移動させる第１駆動機構１４５と、底部材１４６を水平方向に移動させる第２駆動機構１４７とを有している。
【００５５】
また、図３に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、および入金一時保留部１４０の任意一時保留部１４２から送られたバラ硬貨が収納されるバラ硬貨一括収納箱１９８（図１参照、図３では図示せず）がそれぞれ設けられている。
【００５６】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で水平方向に移動可能となっている。また、底部材１４６は、第１位置にある金種別一時保留部１４４の底部の開口を塞ぐ第１位置と、第１位置にある金種別一時保留部１４４の底部の開口を開く第２位置との間で水平方向に移動可能となっている。また、本実施の形態による硬貨入出金装置１１０が待機状態にあるときには金種別一時保留部１４４は第１位置に位置するとともに底部材１４６も第１位置に位置するようになる。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留されるようになる。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納されるようになる。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積されるようになる。
【００５７】
また、入金一時保留部１４０における任意一時保留部１４２は、第１駆動機構１４５による当該任意一時保留部１４２の移動方向に沿って並ぶ第１保留領域および第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置するようになる。なお、このときに底部材１４６が第１位置に位置しているときには任意一時保留部１４２の第１保留領域の底部の開口が当該底部材１４６により塞がれるようになり、任意選別部１３４の分岐孔に落とし込まれたバラ硬貨は任意一時保留部１４２の第１保留領域に一時的に保留されるようになる。また、金種別一時保留部１４４が第２位置に位置しているときには任意一時保留部１４２の第１保留領域がバラ硬貨一括収納箱１９８の真上に位置するようになっている。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納されるようになる。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積されるようになる。また、第１駆動機構１４５によって、入金一時保留部１４０における任意一時保留部１４２を、その第２保留領域が任意選別部１３４の分岐孔の真下に位置するような第３位置に移動させることができるようになっている。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られるようになっている。
【００５８】
図３に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納されるようになっている。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られるようになっている。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出されるようになっている。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送されるようになっている。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られるようになっている。また、出金識別部１５５により識別されたバラ硬貨はコンベア１５４により出金用シュート１５８を介して出金箱１９０に送られるか、あるいは包装用シュート（図示せず）を介して包装部１６０に送られるようになっている。
【００５９】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積されるようになっている。
【００６０】
バラ硬貨一括収納箱１９８は、筐体１１２の前面から操作者が手前側に引き出し可能となっており、入金一時保留部１４０における任意一時保留部１４２の第１保留領域から送られたバラ硬貨が集積されるようになっている。
【００６１】
図３に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４および包装用シュート１７６とを有しており、上部シュート１７２から貯留用シュート１７４や包装用シュート１７６への分岐箇所には分岐部材１７８が設けられている。ここで、上部シュート１７２から分岐部材１７８により包装用シュート１７６に分岐させられたバラ硬貨は包装部１６０に送られるようになっている。一方、図３に示すように、貯留用シュート１７４の下流側端部に位置する排出側開口１７４ａは筐体１１２の前面に開口するようになっており、この排出側開口１７４ａの近傍には、図３において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留されるようになる。
【００６２】
出金箱１９０は、筐体１１２の前面から操作者が手前側に引き出し可能となっており、本実施の形態による硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られるようになっている。また、出金箱１９０には、操作者が当該出金箱１９０を筐体１１２の前面から手前側に引き出す際に把持される取っ手１９０ａが設けられており、このような取っ手１９０ａを操作者が把持することにより出金箱１９０を筐体１１２から容易に引き出すことができるようになっている。また、出金箱１９０には図示しないロック機構が設けられており、このロック機構により出金箱１９０は筐体１１２の内部にロックされるようになっている。一方、ロック機構によるロックが解除されると、操作者は出金箱１９０を筐体１１２の前面から手前側に引き出すことができるようになる。また、図３に示すように、出金箱１９０の底部には開口が設けられているとともに、この開口はシャッタ部材１９２により選択的に閉じられるようになっている。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施の形態による硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００６３】
包装部１６０は、シュート機構１７０の包装用シュート１７６や包装用シュート（図閉示せず）により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア（図示せず）と、コンベアにより搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成されるようになっている。また、包装機構１６８により作成された包装硬貨はこの包装機構１６８から下方に排出され、後述する包装硬貨搬送ユニット２１０に送られるようになっている。
【００６４】
包装硬貨搬送ユニット２１０（図４参照、図１や図３では図示せず）は、包装部１６０の包装機構１６８により作成された包装硬貨を後述する包装硬貨収納ユニット２００の収納トレイに収納させたり、後述する包装硬貨出金部２３０、包装硬貨一括収納箱２３２または包装硬貨投出部２３６に送ったりするようになっている。また、筐体１１２の内部において包装硬貨搬送ユニット２１０の近傍には、包装硬貨の収納を行うとともに収納されている包装硬貨を包装硬貨搬送ユニット２１０に１本ずつ繰出可能な包装硬貨収納ユニット２００（図４参照、図１や図３では図示せず）が設けられている。ここで、包装硬貨収納ユニット２００は、同一金種の複数の包装硬貨を一列に収納する複数の収納トレイ（図示せず）を有しており、各収納トレイには包装硬貨が金種別に収納されるようになっている。ここで、各収納トレイは水平方向に対して傾斜しており、収納トレイに収納されている包装硬貨は、包装硬貨搬送ユニット２１０に近い側である収納トレイの最前部に向かって転がるようになっている。また、各収納トレイは鉛直方向に沿って並ぶよう配置されている。また、各収納トレイに収納される包装硬貨の金種は収納トレイ毎に予め設定されている。
【００６５】
また、図１に示すように、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０により搬送される包装硬貨を選択的に包装硬貨出金部２３０、包装硬貨一括収納箱２３２および包装硬貨投出部２３６にそれぞれ分岐させる分岐部材２１８、２１９、２２０（図４参照）が鉛直方向における上から順に設けられている。ここで、図１に示すように、操作者は筐体１１２の前面から包装硬貨出金部２３０にアクセス可能となっており、分岐部材２１８により包装硬貨搬送ユニット２１０から分岐させられて包装硬貨出金部２３０に送られた包装硬貨を操作者は筐体１１２の外部に取り出すことができるようになっている。また、分岐部材２１９により包装硬貨搬送ユニット２１０から分岐させられて包装硬貨一括収納箱２３２に送られた包装硬貨は当該包装硬貨一括収納箱２３２に収納されるようになっている。なお、操作者は包装硬貨一括収納箱２３２を筐体１１２の外部に取り出すことによりこの包装硬貨一括収納箱２３２から包装硬貨を回収することができるようになる。また、図１に示すように、操作者は筐体１１２の前面から包装硬貨投出部２３６にアクセス可能となっており、分岐部材２２０により包装硬貨搬送ユニット２１０から分岐させられて包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。
【００６６】
また、図１に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイを取り出すことにより収納トレイに包装硬貨を収納したり収納トレイから包装硬貨を取り出したりすることができるようになっている。
【００６７】
また、図１に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができるようになっている。また、各引出ユニットにはロック機構２５０（図４参照）が設けられており、当該ロック機構２５０は対応する引出ユニットを筐体１１２の内部にロックするようになっている。
【００６８】
また、本実施の形態の貨幣入出金機１には、当該貨幣入出金機１の各構成部材の制御を行う制御部３００が設けられている。より詳細には、図４に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、第１検知センサ８０、第２検知センサ８２、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００６９】
また、図４に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０、ロック機構２５０等がそれぞれ接続されている。ここで、入金識別部１２９や出金識別部１５５によるバラ硬貨の識別情報はこれらの入金識別部１２９や出金識別部１５５から制御部３００に送られるようになっている。また、制御部３００は、硬貨入出金装置１１０の各構成部材に指令の信号を送ることによりこれらの構成部材の動作を制御するようになっている。
【００７０】
また、図４に示すように、制御部３００には、操作表示部３０２、印字部３０４、記憶部３０６および通信インターフェース部３０８がそれぞれ接続されている。図１に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図１に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００７１】
また、本実施の形態では、後述するように、混合バラ紙幣収納部３２に収納されたバラ紙幣の量やバラ硬貨一括収納箱１９８に収納されたバラ硬貨の量が所定量以上になるとこの情報が操作表示部３０２に表示されるようになっている。このような、混合バラ紙幣収納部３２に収納されたバラ紙幣の量やバラ硬貨一括収納箱１９８に収納されたバラ硬貨の量に係る情報を操作表示部３０２に表示させるか否かの判断基準となる所定量は記憶部３０６に記憶されるようになっている。例えば、混合バラ紙幣収納部３２がフル状態となるようなバラ紙幣の収納量が２０００枚である場合に、このようなフル状態となるバラ紙幣の収納量の９割の量である１８００枚が所定量として記憶部３０６に記憶されるようになっている。また、図４に示すように、制御部３００には、記憶部３０６に記憶される所定量を設定するための設定手段３２０が接続されている。このような設定手段３２０の機能の詳細については後述する。
【００７２】
次に、このような構成からなる貨幣入出金機１の紙幣入出金装置１０においてバラ紙幣の入金処理や装填処理が行われる際の動作について図５および図６に示すフローチャート、図７（ａ）〜（ｃ）に示す紙幣の搬送経路ならびに図８および図９に示す操作表示部３０２の表示画面を用いて説明する。
【００７３】
紙幣入出金装置１０においてバラ紙幣の入金処理を行うにあたり、操作者が投入部１４に１または複数のバラ紙幣を積層状態で投入し、操作表示部３０２によりバラ紙幣の入金処理開始の指令を制御部３００に与えると（ＳＴＥＰ１の「ＹＥＳ」）、投入部１４に投入されたバラ紙幣は１枚ずつ繰出部１６により筐体１２の内部に繰り出される。そして、筐体１２の内部に繰り出されたバラ紙幣は搬送部１８により識別部２０に搬送され、この識別部２０によりバラ紙幣の金種、真偽、表裏、正損、新旧、搬送状態等が識別された後、表裏反転部２２によりその表裏が揃うように反転させられる（ＳＴＥＰ２）。その後、識別部２０により正常な紙幣であると識別されたバラ紙幣は（ＳＴＥＰ３の「ＹＥＳ」）、搬送部１８により入金一時保留部３０に送られ、この入金一時保留部３０に保留される（ＳＴＥＰ４）。一方、識別部２０により正常な紙幣ではないと識別されたバラ紙幣や識別部２０により識別することができなかったバラ紙幣は（ＳＴＥＰ３の「ＮＯ」）、リジェクト紙幣としてバラ紙幣投出部２４に送られる（ＳＴＥＰ５）。また、バラ紙幣投出部２４にバラ紙幣が存在することが図示しない検知センサにより検知されると、このバラ紙幣投出部２４に設けられたシャッター２４ａが開くようになる。このことにより、操作者はバラ紙幣投出部２４からリジェクト紙幣を取り出して投入部１４に再投入等することができるようになる。投入部１４に投入されたバラ紙幣を筐体１２の内部に繰り出して識別部２０により識別させた後に入金一時保留部３０またはバラ紙幣投出部２４に送るときのバラ紙幣の搬送経路を図７（ａ）に示す。なお、投入部１４に投入されたバラ紙幣を筐体１２の内部に繰り出して識別部２０により識別させた後に入金一時保留部３０またはバラ紙幣投出部２４に送る動作は、投入部１４から入金一時保留部３０またはバラ紙幣投出部２４に全てのバラ紙幣が送られるまで繰り返し行われる（ＳＴＥＰ６の「ＮＯ」）。
【００７４】
また、バラ紙幣の入金処理開始の指令が制御部３００に与えられると、操作表示部３０２には入金されるべき紙幣の金種毎の枚数や合計金額等を入力する画面が表示される。そして、投入部１４に投入されたバラ紙幣が全て筐体１２の内部に繰り出されて入金一時保留部３０またはバラ紙幣投出部２４に送られることにより投入部１４にバラ紙幣が存在しなくなったときに（ＳＴＥＰ６の「ＹＥＳ」）、操作者が操作表示部３０２の入力画面において入金されるべき紙幣の金種毎の枚数や合計金額等を入力した後に「完了」ボタンを押下すると（ＳＴＥＰ７の「ＹＥＳ」）、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しいか否かが照合される（ＳＴＥＰ８）。
【００７５】
識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しい場合には（ＳＴＥＰ８の「ＹＥＳ」）、制御部３００においてバラ紙幣の入金処理が確定されるようになる（ＳＴＥＰ９）。また、バラ紙幣の入金処理が確定されると、入金されたバラ紙幣の明細書が印字部３０４により発行されるようになる（ＳＴＥＰ１０）。なお、別の例として、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しい場合に、入金確定を操作者に求める画面が操作表示部３０２に表示され、このような入金確定を操作者に求める画面が操作表示部３０２に表示されているときに、操作者が操作表示部３０２により入金確定の指令を制御部３００に与えると制御部３００においてバラ紙幣の入金処理が確定されるようになっていてもよい。また、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しくない場合には（ＳＴＥＰ８の「ＮＯ」）、バラ紙幣の計数結果と入力結果が一致しない旨のエラーメッセージが操作表示部３０２に表示されるようになる（ＳＴＥＰ１１）。
【００７６】
バラ紙幣の計数結果と入力結果が一致しない旨のエラーメッセージが操作表示部３０２に表示されると、操作者は操作表示部３０２により「入力値の修正」「バラ紙幣の返却および再投入」「バラ紙幣の追加投入」「入金処理の取り止め」のうちいずれかの処理を行うことを入力することができるようになる。ここで、エラーメッセージが操作表示部３０２に表示されているときに「入力値の修正」を行うことが操作表示部３０２により入力された場合には（ＳＴＥＰ１２）、操作表示部３０２には操作表示部３０２の入力画面が表示されるようになる。そして、操作者が操作表示部３０２の入力画面において入金されるべき紙幣の金種毎の枚数や合計金額等を再入力した後に「完了」ボタンを押下すると、識別部２０による識別結果に基づくバラ紙幣の計数結果におけるバラ紙幣の金種毎の枚数や合計金額と、操作者によって操作表示部３０２により再入力された結果におけるバラ紙幣の金種毎の枚数や合計金額とが等しいか否かが再照合されるようになる（ＳＴＥＰ８）。また、エラーメッセージが操作表示部３０２に表示されているときに「バラ紙幣の返却および再投入」を行うことが操作表示部３０２により入力された場合には（ＳＴＥＰ１３）、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。このときに、計数結果がクリアされる。そして、入金一時保留部３０に保留されているバラ紙幣が全てバラ紙幣投出部２４に送られると、このバラ紙幣投出部２４に設けられたシャッター２４ａが開くようになる。このことにより、操作者は返却されたバラ紙幣をバラ紙幣投出部２４から取り出して投入部１４に再投入することができるようになる。そして、投入部１４に投入されたバラ紙幣は筐体１２の内部に繰り出されて識別部２０により識別された後に入金一時保留部３０等に送られるようになる。
【００７７】
また、エラーメッセージが操作表示部３０２に表示されているときに「バラ紙幣の追加投入」を行うことが操作表示部３０２により入力された場合には（ＳＴＥＰ１４）、操作者は投入部１４にバラ紙幣を追加投入することができるようになる。そして、投入部１４に追加投入されたバラ紙幣は筐体１２の内部に繰り出されて識別部２０により識別された後に入金一時保留部３０等に送られるようになる。新たに取得された計数結果は、元の計数結果に加算される。なお、「バラ紙幣の返却および再投入」や「バラ紙幣の追加投入」が行われる場合、入力結果は改めて入力されてもよいが、１回目の入力値をそのまま使用してもよい。
【００７８】
また、エラーメッセージが操作表示部３０２に表示されているときに「入金処理の取り止め」を行うことが操作表示部３０２により入力された場合には（ＳＴＥＰ１５）、識別部２０による識別結果に基づくバラ紙幣の計数結果が制御部３００においてクリアされる（ＳＴＥＰ１６）。また、入金一時保留部３０の内部に一時的に保留されているバラ紙幣が紙幣繰出繰入部３０ｂにより搬送部１８に繰り出され、この繰り出されたバラ紙幣は搬送部１８によりバラ紙幣投出部２４に送られる。そして、入金一時保留部３０に保留されているバラ紙幣が全てバラ紙幣投出部２４に送られると、このバラ紙幣投出部２４に設けられたシャッター２４ａが開き、操作者はバラ紙幣投出部２４からバラ紙幣を取り出すことができるようになる。このようにして、入金一時保留部３０に保留されていたバラ紙幣が操作者に返却されるようになる（ＳＴＥＰ１７）。
【００７９】
なお、入金されるべき紙幣の金種毎の枚数や合計金額等の入力は、入金処理開始時に行ってもよい。この場合でも、識別部２０によるバラ紙幣の計数処理の終了後に、識別部２０による識別結果に基づくバラ紙幣の計数結果におけるバラ紙幣の金種毎の枚数や合計金額と、操作者によって操作表示部３０２により入力された結果におけるバラ紙幣の金種毎の枚数や合計金額とが等しいか否かが照合されるようになる。
【００８０】
また、制御部３００においてバラ紙幣の入金処理が確定されると、入金一時保留部３０の内部に一時的に保留されているバラ紙幣が紙幣繰出繰入部３０ｂにより搬送部１８に繰り出される。そして、入金一時保留部３０から搬送部１８に繰り出されたバラ紙幣は識別部２０を送られることによりその金種等が識別される（ＳＴＥＰ２１）。その後、出金処理において出金可能な紙幣であると識別部２０により識別されたバラ紙幣のうち（ＳＴＥＰ２２の「ＹＥＳ」）、当該バラ紙幣の金種に対応する金種別バラ紙幣収納部３４がニアフル状態またはフル状態となっていないバラ紙幣については（ＳＴＥＰ２３の「ＮＯ」）、搬送部１８により当該バラ紙幣の金種に対応する金種別バラ紙幣収納部３４に送られ、この金種別バラ紙幣収納部３４に収納される（ＳＴＥＰ２４）。なお、出金処理において出金可能な紙幣であると識別部２０により識別されたバラ紙幣であっても（ＳＴＥＰ２２の「ＹＥＳ」）、当該バラ紙幣の金種に対応する金種別バラ紙幣収納部３４がニアフル状態またはフル状態となっているバラ紙幣は（ＳＴＥＰ２３の「ＹＥＳ」）、搬送部１８により混合バラ紙幣収納部３２に送られ、この混合バラ紙幣収納部３２に収納される（ＳＴＥＰ２５）。また、識別部２０により正常な紙幣ではないと識別されたバラ紙幣（例えば、搬送異常（具体的には、重送、斜行等）であると識別されたバラ紙幣）、正常な紙幣であるが出金用に使用できないバラ紙幣（例えば、損券）、および各金種別バラ紙幣収納部３４に対応していない金種のバラ紙幣（例えば、二千円札）は（ＳＴＥＰ２２の「ＮＯ」）、搬送部１８により混合バラ紙幣収納部３２に送られ、この混合バラ紙幣収納部３２に収納される（ＳＴＥＰ２５）。このような入金一時保留部３０から繰り出されたバラ紙幣を識別部２０により識別させた後に各金種別バラ紙幣収納部３４または混合バラ紙幣収納部３２に送るときのバラ紙幣の搬送経路を図７（ｂ）に示す。そして、入金一時保留部３０からバラ紙幣が全て繰り出され、混合バラ紙幣収納部３２または各金種別バラ紙幣収納部３４に送られると（ＳＴＥＰ２７の「ＮＯ」）、入金一時保留部３０から各金種別バラ紙幣収納部３４へのバラ紙幣の振り分け動作が完了する。
【００８１】
また、入金一時保留部３０から繰り出されたバラ紙幣が識別部２０により識別された後に混合バラ紙幣収納部３２に送られることによって混合バラ紙幣収納部３２に収納されたバラ紙幣の量が所定量に達すると（ＳＴＥＰ２６の「ＹＥＳ」）、混合バラ紙幣収納部３２に収納されたバラ紙幣の量が所定量に達した旨のガイダンス画面が操作表示部３０２に表示される（ＳＴＥＰ２８）。具体的には、図８に示すように、混合バラ紙幣収納部３２に収納されたバラ紙幣について装填処理を行うことを操作者に促すための「リサイクルボタン（図８において参照符合９０で表示）」が操作表示部３０２に表示されるようになる。
【００８２】
より詳細に説明すると、入金一時保留部３０から繰り出されたバラ紙幣が識別部２０により識別された後に混合バラ紙幣収納部３２に送られると、識別部２０による識別結果に基づいて混合バラ紙幣収納部３２に送られたバラ紙幣の量（具体的には、オーバーフロー紙幣、各金種別バラ紙幣収納部３４に割り当てられていない金種のバラ紙幣（すなわち、二千円紙幣）および損券の合計量）が制御部３００においてソフトカウントされ、このソフトカウントされたバラ紙幣の量が所定量に達した場合には図８に示すような画面が操作表示部３０２に表示されるようになる。あるいは、混合バラ紙幣収納部３２に収納されるバラ紙幣の量が所定量に達したことが第２検知センサ８２により検知されたときに、図８に示すような画面が操作表示部３０２に表示されるようになっていてもよい。
【００８３】
そして、所定の権限を有する操作者（例えば、管理者）が図８に示すような操作表示部３０２の画面においてリサイクルボタン９０を押下すると、この操作者は下部扉１２ａを開いて引出ユニット１３を筐体１２の内部から手前側に引き出すことにより混合バラ紙幣収納部３２を引出ユニット１３から取り外してこの混合バラ紙幣収納部３２に収納されているバラ紙幣を当該混合バラ紙幣収納部３２から取り出すことができるようになる。このようにして、混合バラ紙幣収納部３２におけるバラ紙幣の収納スペースに空きを作ることができるようになる。また、混合バラ紙幣収納部３２からバラ紙幣が取り出された後（ＳＴＥＰ２９の「ＹＥＳ」）、空状態の混合バラ紙幣収納部３２が筐体１２の内部に装着されると、紙幣入出金装置１０におけるバラ紙幣の処理モードが装填モードに自動で切り替えられ、紙幣入出金装置１０においてバラ紙幣の装填処理が自動で行われるようになる（ＳＴＥＰ３０）。
【００８４】
紙幣入出金装置１０におけるバラ紙幣の処理モードが装填モードに切り替えられると、操作表示部３０２には図９に示すような混合バラ紙幣収納部３２から取り出されたバラ紙幣を投入部１４に投入することを操作者に促すような画面が表示される。その後、混合バラ紙幣収納部３２から取り出されたバラ紙幣を操作者が投入部１４に投入すると、投入部１４に投入されたバラ紙幣は１枚ずつ繰出部１６により筐体１２の内部に繰り出される。そして、筐体１２の内部に繰り出されたバラ紙幣は搬送部１８により識別部２０に搬送され、この識別部２０によりバラ紙幣の金種、真偽、表裏、正損、新旧、搬送状態等が識別された後、表裏反転部２２によりその表裏が揃うように反転させられる。その後、出金処理において出金可能な紙幣であると識別部２０により識別されたバラ紙幣のうち、当該バラ紙幣の金種に対応する金種別バラ紙幣収納部３４がニアフル状態またはフル状態となっていないバラ紙幣については、搬送部１８により当該バラ紙幣の金種に対応する金種別バラ紙幣収納部３４に送られ、この金種別バラ紙幣収納部３４に収納される。なお、出金処理において出金可能な紙幣であると識別部２０により識別されたバラ紙幣であっても、当該バラ紙幣の金種に対応する金種別バラ紙幣収納部３４がニアフル状態またはフル状態となっているバラ紙幣（オーバーフロー紙幣）は、搬送部１８により混合バラ紙幣収納部３２に送られ、この混合バラ紙幣収納部３２に収納される。また、識別部２０により正常な紙幣ではないと識別されたバラ紙幣（例えば、搬送異常（具体的には、重送、斜行等）であると識別されたバラ紙幣）、正常な紙幣であるが出金用に使用できないバラ紙幣（例えば、損券）、および各金種別バラ紙幣収納部３４に対応していない金種のバラ紙幣（例えば、二千円札）は、搬送部１８により混合バラ紙幣収納部３２に送られ、この混合バラ紙幣収納部３２に収納される。このような紙幣入出金装置１０においてバラ紙幣の装填処理が行われる際のバラ紙幣の搬送経路を図７（ｃ）に示す。なお、オーバーフロー紙幣や識別部２０により出金処理において出金可能な紙幣ではないと識別されたバラ紙幣等は混合バラ紙幣収納部３２ではなくバラ紙幣投出部２４に送られるようになっていてもよい。バラ紙幣投出部２４に送られたバラ紙幣は、操作者によって取り出され、金庫等に別保管されたり、他の処理装置に装填されたりするようになる。
【００８５】
また、本実施の形態による紙幣入出金装置１０では、バラ紙幣の入金処理において、図７（ｂ）に示すように、バラ紙幣の入金処理が確定された後に入金一時保留部３０から繰り出されたバラ紙幣を識別部２０により識別させた後に各金種別バラ紙幣収納部３４または混合バラ紙幣収納部３２に送る際に、混合バラ紙幣収納部３２に収納されるバラ紙幣の金種毎の枚数を記憶部３０６に記憶させるようになっていてもよい。そして、制御部３００は、各金種別バラ紙幣収納部３４におけるバラ紙幣の収納量が所定の下限量（具体的には、例えば金種別バラ紙幣収納部３４がエンプティ状態やニアエンプティ状態となるようなバラ紙幣の量）以下になったときに、混合バラ紙幣収納部３２に収納されているバラ紙幣のうち当該金種別バラ紙幣収納部３４に対応する金種のバラ紙幣の量が所定の基準量以上であればこの情報を操作表示部３０２に表示させるようになっていてもよい。具体的には、図８に示すように、操作表示部３０２にリサイクルボタン９０が表示されるようになっていてもよい。ここで、「所定の基準量」とは、例えば０であってもよく、あるいは０よりも大きな任意の値（例えば、金種別バラ紙幣収納部３４がニアエンプティ状態となるようなバラ紙幣の量）であってもよい。また、「所定の基準量」が、各金種別バラ紙幣収納部３４におけるバラ紙幣の所定の下限量と同じ値であってもよく、異なる値であってもよい。
【００８６】
そして、所定の権限を有する操作者（例えば、管理者）が図８に示すような操作表示部３０２の画面においてリサイクルボタン９０を押下すると、この操作者は下部扉１２ａを開いて引出ユニット１３を筐体１２の内部から手前側に引き出すことにより混合バラ紙幣収納部３２を引出ユニット１３から取り外してこの混合バラ紙幣収納部３２に収納されているバラ紙幣を当該混合バラ紙幣収納部３２から取り出すことができるようになる。また、混合バラ紙幣収納部３２からバラ紙幣が取り出された後、空状態の混合バラ紙幣収納部３２が筐体１２の内部に装着されると、紙幣入出金装置１０におけるバラ紙幣の処理モードが装填モードに自動で切り替えられ、紙幣入出金装置１０においてバラ紙幣の装填処理が行われるようになる。また、この際に、紙幣入出金装置１０において例えば金庫から取り出されたバラ紙幣の装填処理を追加的に行ってもよい。このようにして、紙幣入出金装置１０においてバラ紙幣の装填処理が行われることにより、各金種別バラ紙幣収納部３４にバラ紙幣を収納させることができるため、バラ紙幣の収納量が所定の下限量よりも少なくなっているような金種別バラ紙幣収納部３４（例えば、エンプティ状態やニアエンプティ状態となっている金種別バラ紙幣収納部３４）にバラ紙幣を補充して当該金種別バラ紙幣収納部３４におけるエンプティ状態やニアエンプティ状態を解消することができるようになる。
【００８７】
次に、本実施の形態による貨幣入出金機１の硬貨入出金装置１１０においてバラ硬貨の入金処理が行われる際の動作について説明する。
【００８８】
硬貨入出金装置１１０においてバラ硬貨の入金処理を行うにあたり、操作者が硬貨投入口１２１に１または複数のバラ硬貨を投入し、操作表示部３０２によりバラ硬貨の入金処理開始の指令を制御部３００に与えると、硬貨投入口１２１に投入されたバラ硬貨は１枚ずつ入金繰出部１２０から入金搬送部１２８に繰り出され、この繰り出されたバラ硬貨は入金搬送部１２８により搬送される。また、入金搬送部１２８により搬送されるバラ硬貨は入金識別部１２９によりその金種、真偽、表裏、正損、新旧、搬送状態等の識別が行われる。ここで、入金識別部１２９により正常な硬貨ではないと識別されたバラ硬貨や入金識別部１２９により識別することができなかったバラ硬貨はリジェクト硬貨としてリジェクト選別部１３０により選別され、このリジェクト選別部１３０の分岐孔に送り込まれたバラ硬貨は入金リジェクト用シュート１３１を介して入金リジェクト部１３８に送られる。上述したように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出して硬貨投入口１２１に再投入等することができるようになる。
【００８９】
一方、出金処理において出金可能な硬貨であると入金識別部１２９により識別されたバラ硬貨は各金種別選別部１３６により金種毎に選別され、各金種別選別部１３６の分岐孔に送り込まれたバラ硬貨は入金一時保留部１４０における金種別一時保留部１４４の各保留領域１４４ａ〜１４４ｆに金種別に一時的に保留されるようになる。また、ある金種の収納繰出部１５２が例えばフル状態またはニアフル状態でありこの収納繰出部１５２にバラ硬貨をこれ以上収納することができない場合には、入金繰出部１２０から入金搬送部１２８に繰り出されたバラ硬貨のうちフル状態またはニアフル状態となっている収納繰出部１５２の金種に対応するバラ硬貨は任意選別部１３４により選別されて任意一時保留部１４２に一時的に保留されるようになる。また、出金処理において出金可能ではない損貨であると入金識別部１２９により識別されたバラ硬貨や、各収納繰出部１５２に割り当てられていない金種のバラ硬貨も任意選別部１３４により選別されて任意一時保留部１４２に一時的に保留されるようになる。硬貨投入口１２１に投入されたバラ硬貨を筐体１１２の内部に繰り出して入金識別部１２９により識別させた後に金種別一時保留部１４４または任意一時保留部１４２に送る動作は、入金繰出部１２０から金種別一時保留部１４４または任意一時保留部１４２に全てのバラ硬貨が送られるまで行われる。
【００９０】
また、操作メニュー画面からバラ硬貨の入金処理が選択されると、操作表示部３０２には入金されるべきバラ硬貨の金種毎の枚数や合計金額等を入力する画面が表示される。そして、上述したバラ硬貨の繰出動作や識別処理が行われて硬貨投入口１２１に投入されたバラ硬貨が全て金種別一時保留部１４４または任意一時保留部１４２に送られることにより入金繰出部１２０にバラ硬貨が存在しなくなったときに、操作者が操作表示部３０２の入力画面において入金されるべきバラ硬貨の金種毎の枚数や合計金額等を入力した後に「完了」ボタンを押下すると、入金識別部１２９による識別結果に基づくバラ硬貨の計数結果におけるバラ硬貨の金種毎の枚数や合計金額と、操作者によって操作表示部３０２により入力された結果におけるバラ硬貨の金種毎の枚数や合計金額とが等しいか否かが照合される。
【００９１】
入金識別部１２９による識別結果に基づくバラ硬貨の計数結果におけるバラ硬貨の金種毎の枚数や合計金額と、操作者によって操作表示部３０２により入力された結果におけるバラ硬貨の金種毎の枚数や合計金額とが等しい場合には、制御部３００においてバラ硬貨の入金処理が確定されるようになる。また、バラ硬貨の入金処理が確定されると、入金されたバラ硬貨の明細書が印字部３０４により発行されるようになる。なお、別の例として、入金識別部１２９による識別結果に基づくバラ硬貨の計数結果におけるバラ硬貨の金種毎の枚数や合計金額と、操作者によって操作表示部３０２により入力された結果におけるバラ硬貨の金種毎の枚数や合計金額とが等しい場合に、入金確定を操作者に求める画面が操作表示部３０２に表示され、このような入金確定を操作者に求める画面が操作表示部３０２に表示されているときに、操作者が操作表示部３０２により入金確定の指令を制御部３００に与えると制御部３００においてバラ硬貨の入金処理が確定されるようになっていてもよい。また、入金識別部１２９による識別結果に基づくバラ硬貨の計数結果におけるバラ硬貨の金種毎の枚数や合計金額と、操作者によって操作表示部３０２により入力された結果におけるバラ硬貨の金種毎の枚数や合計金額とが等しくない場合には、バラ硬貨の計数結果と入力結果が一致しない旨のエラーメッセージが操作表示部３０２に表示されるようになる。
【００９２】
制御部３００においてバラ硬貨の入金処理が確定されると、入金一時保留部１４０において金種別一時保留部１４４が第１駆動機構１４５により第１位置から第２位置に移動させられ、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆに金種毎に送られ、各収納領域１５２ａ〜１５２ｆに金種毎に収納されるようになる。また、任意一時保留部１４２に一時的に保留されているバラ硬貨はバラ硬貨一括収納箱１９８に送られ、このバラ硬貨一括収納箱１９８に収納されるようになる。
【００９３】
また、硬貨投入口１２１に投入されたバラ硬貨が全て金種別一時保留部１４４または任意一時保留部１４２に送られることにより入金繰出部１２０にバラ硬貨が存在しなくなったときに、操作者が操作表示部３０２により返却の指令を入力すると、入金一時保留部１４０において底部材１４６が第２駆動機構１４７により第１位置から第２位置に移動させられ、金種別一時保留部１４４の各保留領域１４４ａ〜１４４ｆの底部に設けられた開口が開くことにより各保留領域１４４ａ〜１４４ｆからバラ硬貨が自重により落下して排出部１５０の返却箱１５０ａに送られ、この返却箱１５０ａに金種混合状態で集積されるようになる。また、この場合には任意一時保留部１４２に一時的に保留されているバラ硬貨も自重により落下して排出部１５０の返却箱１５０ａに送られ、この返却箱１５０ａに金種混合状態で集積されるようになる。そして、操作者は筐体１１２の前面から返却箱１５０ａを手前側に引き出すことにより、返却されたバラ硬貨を返却箱１５０ａから筐体１１２の外部に取り出すことができるようになる。
【００９４】
また、バラ硬貨一括収納箱１９８に収納されたバラ硬貨の量が所定量以上になると、バラ硬貨一括収納箱１９８に収納されたバラ硬貨の量が所定量以上である旨のガイダンス画面が操作表示部３０２に表示される。具体的には、バラ硬貨一括収納箱１９８に収納されたバラ硬貨について装填処理を行うことを操作者に促すためのリサイクルボタン（具体的には、図８に示すようなリサイクルボタン９０と同様のボタン）が操作表示部３０２に表示されるようになる。より詳細に説明すると、入金繰出部１２０から入金搬送部１２８に繰り出されたバラ硬貨が入金識別部１２９により識別された後に任意選別部１３４により選別されて任意一時保留部１４２を経てバラ硬貨一括収納箱１９８に送られると、入金識別部１２９による識別結果に基づいてバラ硬貨一括収納箱１９８に送られたバラ硬貨の量が制御部３００においてソフトカウントされ、このソフトカウントされたバラ硬貨の量が所定量以上である場合にはリサイクルボタンが操作表示部３０２に表示されるようになる。
【００９５】
そして、所定の権限を有する操作者（例えば、管理者）が操作表示部３０２の画面においてリサイクルボタンを押下すると、この操作者はバラ硬貨一括収納箱１９８を筐体１１２の内部から手前側に引き出すことによりこのバラ硬貨一括収納箱１９８からバラ硬貨を取り出すことができるようになる。このようにして、バラ硬貨一括収納箱１９８におけるバラ硬貨の収納スペースに空きを作ることができるようになる。また、バラ硬貨一括収納箱１９８からバラ硬貨が取り出された後、空状態のバラ硬貨一括収納箱１９８が筐体１１２の内部に装着されると、硬貨入出金装置１１０におけるバラ硬貨の処理モードが装填モードに自動で切り替えられ、硬貨入出金装置１１０においてバラ硬貨の装填処理が行われるようになる。
【００９６】
硬貨入出金装置１１０におけるバラ硬貨の処理モードが装填モードに切り替えられると、操作表示部３０２にはバラ硬貨一括収納箱１９８から取り出されたバラ硬貨を硬貨投入口１２１に投入することを操作者に促すような画面が表示される。その後、バラ硬貨一括収納箱１９８から取り出されたバラ硬貨を操作者が硬貨投入口１２１に投入すると、硬貨投入口１２１に投入されたバラ硬貨は１枚ずつ入金繰出部１２０から入金搬送部１２８に繰り出され、この繰り出されたバラ硬貨は入金搬送部１２８により搬送される。また、入金搬送部１２８により搬送されるバラ硬貨は入金識別部１２９によりその金種、真偽、表裏、正損、新旧、搬送状態等の識別が行われる。ここで、入金識別部１２９により正常な硬貨ではないと識別されたバラ硬貨や入金識別部１２９により識別することができなかったバラ硬貨はリジェクト硬貨としてリジェクト選別部１３０により選別され、このリジェクト選別部１３０の分岐孔に送り込まれたバラ硬貨は入金リジェクト用シュート１３１を介して入金リジェクト部１３８に送られる。一方、出金処理において出金可能な硬貨であると入金識別部１２９により識別されたバラ硬貨は各金種別選別部１３６により金種毎に選別され、各金種別選別部１３６の分岐孔に送り込まれたバラ硬貨は入金一時保留部１４０における金種別一時保留部１４４の各保留領域１４４ａ〜１４４ｆに金種別に一時的に保留されるようになる。また、ある金種の収納繰出部１５２が例えばフル状態またはニアフル状態でありこの収納繰出部１５２にバラ硬貨をこれ以上収納することができない場合には、入金繰出部１２０から入金搬送部１２８に繰り出されたバラ硬貨のうちフル状態またはニアフル状態となっている収納繰出部１５２の金種に対応するバラ硬貨は任意選別部１３４により選別されて任意一時保留部１４２に一時的に保留されるようになる。また、出金処理において出金可能ではない損貨であると入金識別部１２９により識別されたバラ硬貨や、各収納繰出部１５２に割り当てられていない金種のバラ硬貨も任意選別部１３４により選別されて任意一時保留部１４２に一時的に保留されるようになる。硬貨投入口１２１に投入されたバラ硬貨を筐体１１２の内部に繰り出して入金識別部１２９により識別させた後に金種別一時保留部１４４または任意一時保留部１４２に送る動作は、入金繰出部１２０から金種別一時保留部１４４または任意一時保留部１４２に全てのバラ硬貨が送られるまで行われる。そして、入金繰出部１２０から金種別一時保留部１４４または任意一時保留部１４２に全てのバラ硬貨が送られると、入金一時保留部１４０において金種別一時保留部１４４が第１駆動機構１４５により第１位置から第２位置に移動させられ、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆに金種毎に送られ、各収納領域１５２ａ〜１５２ｆに金種毎に収納されるようになる。また、任意一時保留部１４２に一時的に保留されているバラ硬貨はバラ硬貨一括収納箱１９８に送られ、このバラ硬貨一括収納箱１９８に収納されるようになる。
【００９７】
また、本実施の形態による硬貨入出金装置１１０では、バラ硬貨の入金処理において、入金繰出部１２０から入金搬送部１２８に繰り出されたバラ硬貨を入金識別部１２９により識別させた後に各収納繰出部１５２やバラ硬貨一括収納箱１９８に送る際に、バラ硬貨一括収納箱１９８に収納されるバラ硬貨の金種毎の枚数を記憶部３０６に記憶させるようになっていてもよい。そして、制御部３００は、収納繰出部１５２におけるバラ硬貨の収納量が所定の下限量（具体的には、例えば収納繰出部１５２がエンプティ状態やニアエンプティ状態となるようなバラ硬貨の量）以下になったときに、バラ硬貨一括収納箱１９８に収納されているバラ硬貨のうち当該収納繰出部１５２に対応する金種のバラ硬貨の量が所定の基準量以上であればこの情報を操作表示部３０２に表示させるようになっていてもよい。具体的には、操作表示部３０２にリサイクルボタンが表示されるようになっていてもよい。ここで、「所定の基準量」とは、例えば０であってもよく、あるいは０よりも大きな任意の値（例えば、収納繰出部１５２がニアエンプティ状態となるようなバラ硬貨の量）であってもよい。また、「所定の基準量」が、各収納繰出部１５２におけるバラ硬貨の所定の下限量と同じ値であってもよく、異なる値であってもよい。
【００９８】
そして、所定の権限を有する操作者（例えば、管理者）が操作表示部３０２の画面においてリサイクルボタンを押下すると、この操作者はバラ硬貨一括収納箱１９８を筐体１１２の内部から手前側に引き出すことによりこのバラ硬貨一括収納箱１９８からバラ硬貨を取り出すことができるようになる。また、バラ硬貨一括収納箱１９８からバラ硬貨が取り出された後、空状態のバラ硬貨一括収納箱１９８が筐体１１２の内部に装着されると、硬貨入出金装置１１０におけるバラ硬貨の処理モードが装填モードに自動で切り替えられ、硬貨入出金装置１１０においてバラ硬貨の装填処理が行われるようになる。また、この際に、硬貨入出金装置１１０において例えば金庫から取り出されたバラ硬貨の装填処理を追加的に行ってもよい。このようにして、硬貨入出金装置１１０においてバラ硬貨の装填処理が行われることにより、各収納繰出部１５２にバラ硬貨を収納させることができるため、バラ硬貨の収納量が所定の下限量よりも少なくなっているような収納繰出部１５２（例えば、エンプティ状態やニアエンプティ状態となっている収納繰出部１５２）にバラ硬貨を補充して当該収納繰出部１５２におけるエンプティ状態やニアエンプティ状態を解消することができるようになる。
【００９９】
以上のような構成からなる本実施の形態の貨幣入出金機１によれば、搬送部（具体的には、搬送部１８や入金搬送部１２８）から送られた貨幣を収納するとともに収納されている貨幣を繰出可能な収納繰出部（例えば、金種別バラ紙幣収納部３４や収納繰出部１５２）、および搬送部から送られた貨幣を収納するとともに収納されている貨幣を繰出不可な追加収納部（例えば、混合バラ紙幣収納部３２やバラ硬貨一括収納箱１９８）がそれぞれ設けられており、追加収納部に収納された貨幣の量が所定量以上になるとこの情報が操作表示部３０２等の報知手段により報知されるようになっている。このように、貨幣を繰出不可な追加収納部に収納された貨幣の量が所定量以上になるとこの情報を報知手段により報知することにより、追加収納部に収納されている貨幣を回収することを操作者に促すことができるため、貨幣の装填処理によって追加収納部に収納されている貨幣を収納繰出部に補充することにより当該貨幣を出金処理等で活用することができる。
【０１００】
より詳細に説明すると、従来の貨幣入出金機において、搬送部から送られた貨幣を収納するとともに収納されている貨幣を繰出可能な収納繰出部、および搬送部から送られた貨幣を収納するとともに収納されている貨幣を繰出不可な追加収納部がそれぞれ設けられている場合に、追加収納部に送られた貨幣は自動で筐体内の他の箇所には送ることができないため、操作者が追加収納部を筐体から外部に引き出してこの追加収納部から手作業で貨幣を取り出す必要があった。ここで、追加収納部に収納されている貨幣のうち、収納繰出部がフル状態またはニアフル状態であることにより当該収納繰出部に収納することができなかったオーバーフロー貨幣は、出金処理において出金可能な貨幣ではないと識別部により識別された損貨幣（例えば、損券や損貨）とは異なり貨幣自体には問題なく、出金処理において出金可能な貨幣として用いることができる。しかしながら、上述するように追加収納部に収納されている貨幣を当該追加収納部から繰り出すことができないため、出金処理において出金可能な貨幣が追加収納部に収納されているにもかかわらず、出金処理において収納繰出部の貨幣が足りなくなると出金処理が停止されてしまうという問題があった。また、追加収納部が満杯状態となると、オーバーフロー貨幣や収納繰出部に割り当てられていない金種の貨幣の受け入れ先が無くなってしまい、入金処理が停止してしまうという問題があった。これに対し、本実施の形態による貨幣入出金機１では、追加収納部に収納された貨幣の量が所定量以上になるとこの情報が操作表示部３０２等の報知手段により操作者に報知されるため、上述したような従来の貨幣入出金機の問題点を解消することができる。
【０１０１】
なお、混合バラ紙幣収納部３２やバラ硬貨一括収納箱１９８等の追加収納部に収納された貨幣の量が所定量以上になるとこの情報を報知する報知手段は操作表示部３０２に限定されることはない。混合バラ紙幣収納部３２やバラ硬貨一括収納箱１９８等の追加収納部に収納された貨幣の量が所定量以上になるとこの情報が通信インターフェース部３０８を介して上位端末等の外部装置３１０に送信され、この外部装置３１０に設けられたモニタ等に、混合バラ紙幣収納部３２やバラ硬貨一括収納箱１９８等の追加収納部に収納された貨幣の量が所定量以上であるという情報が表示されることにより、この情報が操作者に報知されるようになっていてもよい。また、所定の操作者に対して所定の端末（例えば、携帯電話やスマートフォン、タブレット端末等）が予め割り当てられており、混合バラ紙幣収納部３２やバラ硬貨一括収納箱１９８等の追加収納部に収納された貨幣の量が所定量以上になるとこの情報が通信インターフェース部３０８を介して操作者が保持する端末に送信され、この端末のモニタ等にこの情報が表示されるようになっていてもよい。このように、通信インターフェース部３０８（通信部）が、混合バラ紙幣収納部３２やバラ硬貨一括収納箱１９８等の追加収納部に収納された貨幣の量が所定量以上になるとこの情報を報知する報知手段として機能するようになっていてもよい。
【０１０２】
また、本実施の形態の貨幣入出金機１においては、上述したように、識別部２０による識別情報に基づく、混合バラ紙幣収納部３２やバラ硬貨一括収納箱１９８等の追加収納部に収納されたオーバーフロー貨幣、金種別バラ紙幣収納部３４や収納繰出部１５２等の収納繰出部に割り当てられていない金種の貨幣および損貨幣（具体的には、損券や損貨）の合計量が所定量以上になると操作表示部３０２等の報知手段によりこの情報が報知されるようになっている。具体的には、入金一時保留部３０や入金繰出部１２０から繰り出されたバラ紙幣やバラ硬貨が識別部２０や入金識別部１２９により識別された後に混合バラ紙幣収納部３２やバラ硬貨一括収納箱１９８に送られると、識別部２０や入金識別部１２９による識別結果に基づいて混合バラ紙幣収納部３２やバラ硬貨一括収納箱１９８に送られたバラ紙幣やバラ硬貨の量（具体的には、オーバーフロー紙幣やオーバーフロー硬貨、各金種別バラ紙幣収納部３４や各収納繰出部１５２に割り当てられていない金種のバラ紙幣やバラ硬貨および損券や損貨の合計量）が制御部３００においてソフトカウントされ、このソフトカウントされたバラ紙幣やバラ硬貨の量が所定量以上になった場合には操作表示部３０２等の報知手段によりこの情報が報知される。
【０１０３】
あるいは、本実施の形態の貨幣入出金機１の紙幣入出金装置１０においては、混合バラ紙幣収納部３２に収納されたバラ紙幣の量が満杯になったときにこのことを検知する第１検知部としての第１検知センサ８０および混合バラ紙幣収納部３２に収納されたバラ紙幣の量が所定量に達したときにこのことを検知する第２検知部としての第２検知センサ８２がそれぞれ混合バラ紙幣収納部３２に設けられており、操作表示部３０２等の報知手段は、混合バラ紙幣収納部３２に収納されたバラ紙幣の量が所定量に達したことが第２検知センサ８２により検知されたときに混合バラ紙幣収納部３２に収納されたバラ紙幣の量が所定量以上である情報を報知するようになっていてもよい。
【０１０４】
また、リサイクルボタン９０が表示されるトリガーとなる「混合バラ紙幣収納部３２やバラ硬貨一括収納箱１９８等の追加収納部に収納された貨幣の量」として、上述した合計枚数以外に、金種を識別できたバラ紙幣やバラ硬貨の合計金額や、種類別のバラ紙幣やバラ硬貨を用いてもよい。なお、バラ紙幣やバラ硬貨の「種類」とは、金種、新旧、正損または向き、あるいはこれらを組み合わせたものをいう。
【０１０５】
また、本実施の形態の貨幣入出金機１においては、上述したように、操作表示部３０２等の報知手段において判断基準となる所定量を設定する設定手段３２０が設けられている。このことにより、操作表示部３０２等の報知手段において判断基準となる所定量を変更することができる。なお、設定手段３２０による所定量の設定は、操作者が操作表示部３０２を用いて所定量を入力することにより、あるいは、上位端末等の外部装置３１０から通信インターフェース部３０８を介して制御部３００に所定量に係る情報が送信されることにより行われるようになっている。
【０１０６】
また、本実施の形態の貨幣入出金機１においては、上述したように、混合バラ紙幣収納部３２やバラ硬貨一括収納箱１９８等の追加収納部から貨幣が取り出されると、投入部１４や硬貨投入口１２１により筐体１２、１１２の外部から内部に投入された貨幣が識別部２０や入金識別部１２９により識別された後に当該識別部による識別結果に基づいて金種別バラ紙幣収納部３４や収納繰出部１５２等の収納繰出部または追加収納部に送られるような装填処理が自動で行われるようになっている。このことにより、操作者は操作表示部３０２により装填処理開始の指令を入力する必要がなくなるため、操作者の作業負担を軽減することができる。
【０１０７】
また、本実施の形態の貨幣入出金機１においては、上述したように、識別部２０や入金識別部１２９による識別結果に基づいて、混合バラ紙幣収納部３２やバラ硬貨一括収納箱１９８等の追加収納部に収納されている貨幣の金種毎の数が記憶部３０６に記憶されるようになっており、金種別バラ紙幣収納部３４や収納繰出部１５２等の収納繰出部における貨幣の収納量が所定の下限量以下になったときに、追加収納部に収納されている貨幣のうち当該収納繰出部に対応する金種の貨幣の数が所定の基準量以上であればこの情報が操作表示部３０２等の報知手段により報知されるようになっている。この場合には、報知手段により報知が行われた操作者が追加収納部から貨幣を取り出して装填処理を行うことにより、貨幣の収納量が所定の下限量以下になっているような収納繰出部に貨幣を補充することができるため、当該収納繰出部におけるエンプティ状態やニアエンプティ状態を解消することができるようになる。
【０１０８】
なお、本実施の形態による貨幣入出金機１やこのような貨幣入出金機１による貨幣処理方法は、上述したような態様に限定されることはなく、様々な変更を加えることができる。
【０１０９】
例えば、本発明に係る貨幣処理装置は、紙幣入出金装置１０および硬貨入出金装置１１０を組み合わせた貨幣入出金機１に限定されることはない。本発明に係る貨幣処理装置として、紙幣入出金装置１０が単体で用いられてもよく、あるいは硬貨入出金装置１１０が単体で用いられてもよい。
【０１１０】
また、上述した貨幣入出金機１および上位端末等の外部装置３１０を組み合わせることにより本発明に係る貨幣処理システムが構成されるようになっていてもよい。この場合には、上位端末等の外部装置３１０は、貨幣入出金機１の管理を行う管理装置として機能するようになる。また、上記の説明では、紙幣入出金装置１０や硬貨入出金装置１１０における混合バラ紙幣収納部３２やバラ硬貨一括収納箱１９８等の追加収納部に収納された貨幣の量が所定量以上になるとこの情報を報知する報知手段（例えば、操作表示部３０２）が貨幣入出金機１に設けられるような態様について述べたが、本発明に係る貨幣処理システムでは、紙幣入出金装置１０や硬貨入出金装置１１０における混合バラ紙幣収納部３２やバラ硬貨一括収納箱１９８等の追加収納部に収納された貨幣の量が所定量以上になるとこの情報を報知する報知手段（例えば、モニタ等）が貨幣入出金機１ではなく外部装置３１０に設けられていてもよい。
【０１１１】
また、本発明に係る貨幣処理装置として、図１０乃至図１２に示すような貨幣入出金機４００が用いられるようになっていてもよい。ここで、図１０は、変形例に係る貨幣入出金機４００の外観を示す斜視図であり、図１１は、図１０に示す貨幣入出金機４００の内部構成を概略的に示す概略構成図であり、図１２は、図１０に示す貨幣入出金機４００における制御系の構成を示す機能ブロック図である。なお、以下の記載では、「紙幣」は全てバラ紙幣を指すものとする。また、図１１における筐体４０２（後述）の左側の側面が貨幣入出金機４００の前面側（すなわち、図１０に示すように貨幣入出金機４００を手前側から見たときの正面側）となっており、図１１における右方向が筐体４０２の奥行き方向となっている。
【０１１２】
図１０乃至図１２に示す貨幣入出金機４００は、金融機関の窓口等に設置されるものであり、紙幣および硬貨の入出金処理をそれぞれ行うようになっている。より詳細に説明すると、金融機関の窓口等において二人のテラーが１台の貨幣入出金機４００を共用するようになっており、図１０に示す貨幣入出金機４００の両側にそれぞれテラーが配置されるとともに各テラーに対応して二台のモニタ（図示せず）が設置されるようになっている。
【０１１３】
図１０に示すように、変形例に係る貨幣入出金機４００は、略直方体形状の筐体４０２を有しており、この筐体４０２の前面上方に紙幣入金口４１０が設けられるとともに筐体４０２の上面に硬貨入金口４５０が設けられるようになっている。また、筐体４０２の前面において紙幣入金口４１０の下方には紙幣出金口４４０が設けられるとともに、紙幣出金口４４０の更に下方にはリジェクト部４４２が設けられるようになっており、このリジェクト部４４２の両側の側方にはそれぞれ硬貨出金ボックス４５２が配置されるようになっている。ここで、紙幣入金口４１０、紙幣出金口４４０および硬貨入金口４５０は二人のテラーが共用するようになっているのに対し、リジェクト部４４２の両側に設けられた各硬貨出金ボックス４５２は各テラーにそれぞれ対応するようになっている。また、図１０に示すように、紙幣入金口４１０には、当該紙幣入金口４１０の開閉を行うシャッター４１１が設けられており、また、紙幣出金口４４０にも、当該紙幣出金口４４０の開閉を行うシャッター４４１が設けられている。また、貨幣入出金機４００の筐体４０２の前面における紙幣出金口４４０やリジェクト部４４２の下方には前面扉４４４が設けられており、この前面扉４４４を開くことにより後述する下部引出ユニット４０９を筐体４０２内から手前側に引き出すことができるようになっている。
【０１１４】
また、貨幣入出金機４００の筐体４０２の上面における硬貨入金口４５０の両側の側方には、紙幣占有ボタン４８４、硬貨占有ボタン４８６、紙幣出金口ランプ４９０および硬貨出金口ランプ４９２がそれぞれ設けられている。これらの紙幣占有ボタン４８４、硬貨占有ボタン４８６、紙幣出金口ランプ４９０および硬貨出金口ランプ４９２はそれぞれ左右一対となるよう配置されており、各ボタン４８４、４８６や各ランプ４９０、４９２は各テラーに対応するようになっている。また、貨幣入出金機４００の筐体４０２の上面における硬貨入金口４５０の後方には例えばタッチパネル等からなる操作表示部４８２が設けられている。図１０では操作表示部４８２は倒れた状態で示されているが、この操作表示部４８２を図１０に示す状態から鉛直方向上方に延びるよう立たせることができるようになっている。操作者はこの操作表示部４８２により様々な情報や指令を入力することができるようになっている。また、操作表示部４８２には、貨幣入出金機４００における貨幣の処理状況に関する情報や在高に関する情報が表示されるようになっている。なお、操作表示部４８２に表示される、貨幣入出金機４００における貨幣の処理状況に関する情報には、例えば、ジャム等の通常のエラーに係る情報や、リジェクト部４４２に送られたリジェクト紙幣に係る情報等が含まれる。具体的には、貨幣入出金機４００における貨幣の処理状況に関する情報として、「機体内で紙幣の詰まりが発生しました」「出金口のリジェクト紙幣を抜き取って下さい」等のメッセージが操作表示部４８２に表示されるようになる。また、貨幣入出金機４００の筐体４０２の前面には電源スイッチ４８０が設けられており、操作者がこの電源スイッチ４８０をオンにすることにより貨幣入出金機４００において紙幣や硬貨の入出金処理を行うことができるようになっている。
【０１１５】
図１１に示すように、貨幣入出金機４００の筐体４０２の内部には、紙幣の入出金処理を行う紙幣処理部４０４と、硬貨の入出金処理を行う硬貨処理部４０６とがそれぞれ設けられている。紙幣処理部４０４の構成の詳細について以下に説明する。
【０１１６】
前述したように、貨幣入出金機４００の筐体４０２の前面上方に紙幣入金口４１０が設けられているが、この紙幣入金口４１０には紙幣繰出機構４１２が設置されており、筐体４０２の外部から紙幣入金口４１０に投入された紙幣は紙幣繰出機構４１２により１枚ずつ筐体４０２の内部に繰り出されるようになっている。より詳細には、図１１に示すように、紙幣繰出機構４１２は、左右一対のキッカローラ４１２ａ、左右一対のフィードローラ４１２ｂおよび左右一対のゲートローラ４１２ｃを有している。このような紙幣繰出機構４１２において、紙幣入金口４１０に投入された紙幣はキッカローラ４１２ａによりフィードローラ４１２ｂとゲートローラ４１２ｃとの間の隙間に向かって１枚ずつ蹴り出され、この蹴り出された紙幣は、フィードローラ４１２ｂによって貨幣入出金機４００の筐体４０２内に１枚ずつ繰り出されるようになっている。
【０１１７】
また、紙幣入金口４１０には搬送部４１４が接続されており、紙幣繰出機構４１２により筐体４０２の内部に繰り出された紙幣は搬送部４１４により１枚ずつ搬送されるようになっている。ここで、搬送部４１４には識別部４１６が設けられており、搬送部４１４により搬送される紙幣は識別部４１６によりその金種、真偽、表裏、正損、新旧、搬送状態等が識別されるようになっている。また、搬送部４１４には表裏反転部４１８が設けられており、搬送部４１４により搬送される紙幣は表裏反転部４１８によりその表裏が整えられるようになっている。具体的には、表裏反転部４１８に送られた紙幣のうち、例えば裏面が上側となっている紙幣のみの表裏が反転されることにより、この表裏反転部４１８から出された紙幣は全て表面（おもてめん）が上側となるようになる。
【０１１８】
また、搬送部４１４にはリジェクト部４４２が接続されており、識別部４１６により正常な紙幣ではないと識別された紙幣、すなわちリジェクト紙幣が搬送部４１４からリジェクト部４４２に送られるようになっている。リジェクト部４４２は筐体４０２の前面から引き出すことができるようになっており、筐体４０２の前面から引き出されたリジェクト部４４２は筐体４０２の外部からアクセス可能となっている。このことにより、操作者はこのリジェクト部４４２に集積されたリジェクト紙幣を手動で取り出すことができる。
【０１１９】
また、搬送部４１４には複数（例えば５つ）の一時保留部４２０が接続されている。ここで、各一時保留部４２０は並列に並ぶよう配設されており、搬送部４１４から各一時保留部４２０に搬送された紙幣は、これらの一時保留部４２０において積層状態で集積されることにより一時的に保留されるようになっている。また、図１１に示すように、各一時保留部４２０には、搬送部４１４から送られた紙幣が集積されるステージ４２０ａが設けられている。各一時保留部４２０において一時的に保留される紙幣はステージ４２０ａ上に集積されるようになる。より詳細には、ステージ４２０ａは例えば開閉可能に設けられた２枚の板材から構成されており、閉じた状態の２枚の板材の上に紙幣が集積されるようになっている。また、２枚の板材が開くことによりステージ４２０ａが図１１に示す位置から開放されると、ステージ４２０ａ上の紙幣が自重により一時保留部４２０から下方に落下し、後述する一括収納部４２４や紙幣集積部４２６に送られるようになる。
【０１２０】
また、各一時保留部４２０には紙幣繰出繰入部４２０ｂが設けられており、当該一時保留部４２０に一時的に保留されている紙幣は紙幣繰出繰入部４２０ｂより１枚ずつ搬送部４１４に繰り出されるようになっている。また、紙幣繰出繰入部４２０ｂにより搬送部４１４から一時保留部４２０に紙幣が１枚ずつ繰り入れられるようになっている。ここで、一時保留部４２０には、紙幣の入金処理において識別部４１６により識別された紙幣が後述する一括収納部４２４や紙幣集積部４２６に収納される前に一時的に保留されるようになっている。
【０１２１】
また、各一時保留部４２０の下方には例えば２つの一括収納部４２４（具体的には、紙幣収納カセット）および例えば３つの紙幣集積部４２６がそれぞれ設けられており、各一時保留部４２０に一時的に保留された紙幣は各一括収納部４２４や各紙幣集積部４２６に送られるようになっている。ここで、図１１に示すように、筐体４０２の内部において各一括収納部４２４は後述する下部引出ユニット４０９に設けられたカセット部４２２に着脱自在に収容されるようになっており、この下部引出ユニット４０９は前面扉４４４を開くことにより筐体４０２から前方に（すなわち、図１１における左方向に）引き出すことができるようになっている。このように、下部引出ユニット４０９を筐体４０２から前方に引き出すことにより、紙幣が収納された一括収納部４２４をカセット部４２２から取り出し、この一括収納部４２４を回収することができるようになっている。なお、一括収納部４２４に収納されている紙幣は当該一括収納部４２４から搬送部４１４に繰り出すことができないようになっている。一方、各紙幣集積部４２６に集積された紙幣は、これらの紙幣集積部４２６から搬送部４１４に繰り出されるようになっており、各紙幣集積部４２６から搬送部４１４に繰り出された紙幣は紙幣出金口４４０に送られ、このようにして紙幣の出金処理が行われるようになっている。
【０１２２】
また、図１１に示すように、紙幣入金口４１０、紙幣出金口４４０、識別部４１６、表裏反転部４１８、搬送部４１４の上側の一部は、筐体４０２の内部から手前側に引き出し可能な上部引出ユニット４０８に設けられている。一方、各一時保留部４２０、一括収納部４２４、紙幣集積部４２６、搬送部４１４の下側の一部は、筐体４０２の内部から手前側に引き出し可能な下部引出ユニット４０９に設けられている。
【０１２３】
貨幣入出金機４００の筐体４０２の内部に設けられた硬貨処理部４０６は、硬貨の入出金処理を行うようになっている。具体的には、上面に設けられた硬貨入金口４５０に投入された硬貨を識別部（図示せず）により識別し、その後この硬貨を筐体４０２内に収納することによって硬貨の入金処理を行ったり、筐体４０２内に収納された硬貨を各硬貨出金ボックス４５２に送ることによって硬貨の出金処理を行ったりするようになっている。なお、硬貨処理部４０６の詳細な説明は省略する。
【０１２４】
前述したように、貨幣入出金機４００の筐体４０２の上面には、左右一対の紙幣占有ボタン４８４および左右一対の硬貨占有ボタン４８６がそれぞれ設けられており、各ボタン４８４、４８６は各テラーに対応するようになっている。そして、貨幣入出金機４００の側方に座っている各テラーが対応する紙幣占有ボタン４８４や硬貨占有ボタン４８６を押下することにより、このテラーに関連する紙幣や硬貨の入出金処理を行うことができるようになる。また、貨幣入出金機４００の筐体４０２の上面には、左右一対の紙幣出金口ランプ４９０および左右一対の硬貨出金口ランプ４９２がそれぞれ設けられており、各ランプ４９０、４９２は各テラーに対応するようになっている。そして、紙幣出金口４４０に出金紙幣が集積されたり硬貨出金ボックス４５２に出金硬貨が集積されたりすると、紙幣や硬貨の入出金処理を行っているテラーに対応する紙幣出金口ランプ４９０や硬貨出金口ランプ４９２が点灯するようになる。
【０１２５】
また、図１２に示すように、貨幣入出金機４００の筐体４０２内には、当該貨幣入出金機４００の各構成要素の制御を行う制御部５００が設けられている。図１２に示すように、制御部５００には紙幣処理部４０４（具体的には、紙幣繰出機構４１２、搬送部４１４、識別部４１６、表裏反転部４１８、一時保留部４２０等）、硬貨処理部４０６、電源スイッチ４８０、操作表示部４８２、紙幣占有ボタン４８４、硬貨占有ボタン４８６、紙幣出金口ランプ４９０、硬貨出金口ランプ４９２等がそれぞれ接続されている。また、制御部５００には記憶部５０２および通信インターフェース部５０４等がそれぞれ接続されている。記憶部５０２には、貨幣入出金機４００における貨幣の処理状況や在高に関する情報が記憶されるようになっている。また、通信インターフェース部５０４により、制御部５００は貨幣入出金機４００以外の外部装置５１０（例えば、上位装置）と信号の送受信を行うようになっている。
【０１２６】
次に、図１０乃至図１２に示すような貨幣入出金機４００において紙幣の入金処理が行われる際の動作について説明する。貨幣入出金機４００において紙幣の入金処理を行うにあたり、操作者が紙幣入金口４１０に１または複数の紙幣を積層状態で投入し、操作表示部４８２により紙幣の入金処理開始の指令を制御部５００に与えると、紙幣入金口４１０に投入された紙幣は１枚ずつ紙幣繰出機構４１２により筐体４０２の内部に繰り出され、この繰り出された紙幣は搬送部４１４により識別部４１６に送られる。そして、搬送部４１４により識別部４１６に送られた紙幣は当該識別部４１６によりその金種、真偽、表裏、正損、新旧、搬送状態等が識別される。その後、出金処理において出金可能な紙幣であると識別部４１６により識別された紙幣は、搬送部４１４により、各紙幣集積部４２６の上方に位置する一時保留部４２０に例えば金種毎に送られ、これらの一時保留部４２０に保留される。この際に、搬送部４１４から一時保留部４２０に送られた紙幣はステージ４２０ａ上に積層状態で集積されるようになる。一方、識別部４１６により正常な紙幣ではないと識別された紙幣や識別部４１６により識別することができなかった紙幣はリジェクト紙幣としてリジェクト部４４２に送られる。このことにより、操作者はリジェクト部４４２から紙幣を取り出して紙幣入金口４１０に再投入等することができるようになる。また、ある金種の紙幣集積部４２６が例えばフル状態またはニアフル状態でありこの紙幣集積部４２６に紙幣をこれ以上収納することができない場合には、紙幣入金口４１０から紙幣繰出機構４１２により筐体４０２の内部に繰り出された紙幣のうちフル状態またはニアフル状態となっている紙幣集積部４２６の金種に対応する紙幣は各一括収納部４２４の上方に位置する一時保留部４２０に送られ、この一時保留部４２０に保留される。また、出金処理において出金可能ではない損券であると識別部４１６により識別された紙幣や、各紙幣集積部４２６に割り当てられていない金種の紙幣も各一括収納部４２４の上方に位置する一時保留部４２０に送られ、この一時保留部４２０に保留される。紙幣入金口４１０に投入された紙幣を筐体４０２の内部に繰り出して識別部４１６により識別させた後に各一時保留部４２０に送る動作は、紙幣入金口４１０から各一時保留部４２０に全ての紙幣が送られるまで行われる。
【０１２７】
紙幣入金口４１０に投入された紙幣が全て筐体４０２の内部に繰り出されて各一時保留部４２０に送られることにより紙幣入金口４１０に紙幣が存在しなくなると、操作表示部４８２には入金確定の指令を操作者に求める画面が表示されるようになる。そして、操作者が操作表示部４８２により入金確定の指令を入力すると、各一時保留部４２０においてステージ４２０ａが図１１に示す位置から開放されることによりステージ４２０ａ上に集積されている紙幣が各一時保留部４２０から一括収納部４２４や紙幣集積部４２６に送られ、これらの一括収納部４２４や紙幣集積部４２６に収納されるようになる。このようにして、貨幣入出金機４００における紙幣の入金処理の一連の動作が完了する。一方、操作表示部４８２に入金確定の指令を操作者に求める画面が表示されているときに、操作者が入金確定の指令ではなく返却の指令を入力すると、各一時保留部４２０の内部に一時的に保留されている紙幣が紙幣繰出繰入部４２０ｂにより搬送部４１４に繰り出され、この繰り出された紙幣は搬送部４１４により紙幣出金口４４０に送られる。そして、各一時保留部４２０に保留されている紙幣が全て紙幣出金口４４０に送られると、この紙幣出金口４４０に設けられたシャッター４４１が開くようになる。このことにより、操作者は返却された紙幣を紙幣出金口４４０から取り出すことができるようになる。
【０１２８】
また、ある一括収納部４２４に収納された紙幣の量が所定量以上になると、一括収納部４２４に収納された紙幣の量が所定量以上である旨のガイダンス画面が操作表示部４８２に表示される。具体的には、一括収納部４２４に収納された紙幣について装填処理を行うことを操作者に促すためのリサイクルボタン（具体的には、図８に示すようなリサイクルボタン９０と同様のボタン）が操作表示部４８２に表示されるようになる。より詳細に説明すると、紙幣入金口４１０に投入された紙幣が筐体４０２の内部に繰り出されて識別部４１６により識別された後に各一括収納部４２４の上方に位置する一時保留部４２０に送られ、その後、入金確定の指令が入力されることにより各一時保留部４２０から各一括収納部４２４に紙幣が送られると、識別部４１６による識別結果に基づいて各一括収納部４２４に送られた紙幣の量が制御部５００においてソフトカウントされ、このソフトカウントされた紙幣の量が所定量以上になった場合にはリサイクルボタンが操作表示部４８２に表示されるようになる。
【０１２９】
そして、所定の権限を有する操作者（例えば、管理者）が操作表示部４８２の画面においてリサイクルボタンを押下すると、この操作者は前面扉４４４を開くことにより下部引出ユニット４０９を筐体４０２から前方に（すなわち、図１１における左方向に）引き出すことができるようになる。このように、下部引出ユニット４０９を筐体４０２から前方に引き出すことにより、紙幣が収納された一括収納部４２４をカセット部４２２から取り出し、更にこの一括収納部４２４から紙幣を取り出すことができるようになる。このようにして、一括収納部４２４における紙幣の収納スペースに空きを作ることができるようになる。また、一括収納部４２４から紙幣が取り出された後、空状態の一括収納部４２４が筐体４０２の内部に装着されると、貨幣入出金機４００における紙幣の処理モードが装填モードに自動で切り替えられ、貨幣入出金機４００において紙幣の装填処理が行われるようになる。
【０１３０】
貨幣入出金機４００における紙幣の処理モードが装填モードに切り替えられると、操作表示部４８２には一括収納部４２４から取り出された紙幣を紙幣入金口４１０に投入することを操作者に促すような画面が表示される。そして、一括収納部４２４から取り出された紙幣を操作者が紙幣入金口４１０に投入すると、紙幣入金口４１０に投入された紙幣は１枚ずつ紙幣繰出機構４１２により筐体４０２の内部に繰り出され、この繰り出された紙幣は搬送部４１４により識別部４１６に送られる。そして、搬送部４１４により識別部４１６に送られた紙幣は当該識別部４１６によりその金種、真偽、表裏、正損、新旧、搬送状態等が識別される。その後、出金処理において出金可能な紙幣であると識別部４１６により識別された紙幣は、搬送部４１４により、各紙幣集積部４２６の上方に位置する一時保留部４２０に例えば金種毎に送られ、これらの一時保留部４２０に保留される。一方、識別部４１６により正常な紙幣ではないと識別された紙幣や識別部４１６により識別することができなかった紙幣はリジェクト紙幣としてリジェクト部４４２に送られる。また、ある金種の紙幣集積部４２６が例えばフル状態またはニアフル状態でありこの紙幣集積部４２６に紙幣をこれ以上収納することができない場合には、紙幣入金口４１０から紙幣繰出機構４１２により筐体４０２の内部に繰り出された紙幣のうちフル状態またはニアフル状態となっている紙幣集積部４２６の金種に対応する紙幣は各一括収納部４２４の上方に位置する一時保留部４２０に送られ、この一時保留部４２０に保留される。また、出金処理において出金可能ではない損券であると識別部４１６により識別された紙幣や、各紙幣集積部４２６に割り当てられていない金種の紙幣も各一括収納部４２４の上方に位置する一時保留部４２０に送られ、この一時保留部４２０に保留される。そして、紙幣入金口４１０から各一時保留部４２０に全ての紙幣が送られると、各一時保留部４２０においてステージ４２０ａが図１１に示す位置から開放されることにより各一時保留部４２０から一括収納部４２４や紙幣集積部４２６に紙幣が送られ、これらの一括収納部４２４や紙幣集積部４２６に収納されるようになる。
【０１３１】
また、本実施の形態による貨幣入出金機４００では、紙幣の入金処理において、紙幣入金口４１０に投入された紙幣を筐体４０２の内部に繰り出して識別部４１６により識別させた後に各一時保留部４２０またはリジェクト部４４２に送り、各一時保留部４２０から更に一括収納部４２４や紙幣集積部４２６に紙幣を送る際に、一括収納部４２４に収納される紙幣の金種毎の枚数を記憶部５０２に記憶させるようになっていてもよい。そして、制御部５００は、紙幣集積部４２６における紙幣の収納量が所定の下限量（具体的には、例えば紙幣集積部４２６がエンプティ状態やニアエンプティ状態となるような紙幣の量）以下になったときに、一括収納部４２４に収納されている紙幣のうち当該紙幣集積部４２６に対応する金種の紙幣の量が所定の基準量以上であればこの情報を操作表示部４８２に表示させるようになっていてもよい。具体的には、操作表示部４８２にリサイクルボタンが表示されるようになっていてもよい。ここで、「所定の基準量」とは、例えば０であってもよく、あるいは０よりも大きな任意の値（例えば、紙幣集積部４２６がニアエンプティ状態となるような紙幣の量）であってもよい。また、「所定の基準量」が、各紙幣集積部４２６における紙幣の所定の下限量と同じ値であってもよく、異なる値であってもよい。
【０１３２】
そして、所定の権限を有する操作者（例えば、管理者）が操作表示部４８２の画面においてリサイクルボタンを押下すると、この操作者は前面扉４４４を開くことにより下部引出ユニット４０９を筐体４０２から前方に引き出して一括収納部４２４をカセット部４２２から取り出し、この一括収納部４２４から紙幣を取り出すことができるようになる。また、一括収納部４２４から紙幣が取り出された後、空状態の一括収納部４２４が筐体４０２の内部に装着されると、貨幣入出金機４００における紙幣の処理モードが装填モードに自動で切り替えられ、貨幣入出金機４００において紙幣の装填処理が行われるようになる。このようにして、貨幣入出金機４００において紙幣の装填処理が行われることにより、各紙幣集積部４２６に紙幣を収納させることができるため、紙幣の収納量が所定の下限量よりも少なくなっているような紙幣集積部４２６（例えば、エンプティ状態やニアエンプティ状態となっている紙幣集積部４２６）に紙幣を補充して当該紙幣集積部４２６におけるエンプティ状態やニアエンプティ状態を解消することができるようになる。
【０１３３】
このように、図１０乃至図１２に示すような構成の貨幣入出金機４００でも、図１乃至図９に示す貨幣入出金機１と同様に、搬送部４１４から送られた紙幣を収納するとともに収納されている紙幣を繰出可能な収納繰出部として紙幣集積部４２６が設けられるとともに、搬送部４１４から送られた紙幣を収納するとともに収納されている紙幣を繰出不可な追加収納部として一括収納部４２４が設けられており、追加収納部としての一括収納部４２４に収納された紙幣の量が所定量以上になるとこの情報が操作表示部４８２等の報知手段により報知されるようになっている。このように紙幣を繰出不可な追加収納部（具体的には、一括収納部４２４）に収納された紙幣の量が所定量以上になるとこの情報を報知手段により報知することにより、追加収納部に収納されている紙幣を回収することを操作者に促すことができるため、紙幣の装填処理によって追加収納部に収納されている紙幣を収納繰出部に補充することにより当該紙幣を出金処理等で活用することができる。
【０１３４】
また、図１０乃至図１２に示すような構成の貨幣入出金機４００では、図１乃至図９に示す貨幣入出金機１と同様に、識別部４１６による識別結果に基づいて、一括収納部４２４等の追加収納部に収納されている紙幣の金種毎の数が記憶部５０２に記憶されるようになっており、紙幣集積部４２６等の収納繰出部における紙幣の収納量が所定の下限量以下になったときに、追加収納部に収納されている紙幣のうち当該収納繰出部に対応する金種の紙幣の数が所定の基準量以上であればこの情報が操作表示部４８２等の報知手段により報知されるようになっている。この場合には、報知手段により報知が行われた操作者が追加収納部としての一括収納部４２４から紙幣を取り出して装填処理を行うことにより、紙幣の収納量が所定の下限量以下になっているような収納繰出部（具体的には、紙幣集積部４２６）に紙幣を補充することができるため、当該収納繰出部におけるエンプティ状態やニアエンプティ状態を解消することができるようになる。
【符号の説明】
【０１３５】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      混合バラ紙幣収納部
３２ａ    ステージ
３２ｂ    紙幣繰入部
３４      金種別バラ紙幣収納部
３４ａ    ステージ
３４ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
８０      第１検知センサ
８２      第２検知センサ
９０      リサイクルボタン
１１０    硬貨入出金装置
１１２    筐体
１１４、１１５  前扉
１２０    入金繰出部
１２１    硬貨投入口
１２２    供給円盤
１２４    回転円盤
１２８    入金搬送部
１２９    入金識別部
１３０    リジェクト選別部
１３１    入金リジェクト用シュート
１３４    任意選別部
１３６    金種別選別部
１３８    入金リジェクト部
１４０    入金一時保留部
１４２    任意一時保留部
１４４    金種別一時保留部
１４４ａ〜１４４ｆ  保留領域
１４５    第１駆動機構
１４６    底部材
１４７    第２駆動機構
１５０    排出部
１５０ａ  返却箱
１５２    収納繰出部
１５２ａ〜１５２ｆ  収納領域
１５２ｐ  硬貨繰出部
１５４    コンベア
１５５    出金識別部
１５６    出金リジェクト箱
１５８    出金用シュート
１６０    包装部
１６２    回転円盤
１６８    包装機構
１６８ａ  包装ローラ
１７０    シュート機構
１７２    上部シュート
１７４    貯留用シュート
１７４ａ  排出側開口
１７５    貯留袋
１７６    包装用シュート
１７８    分岐部材
１９０    出金箱
１９０ａ  取っ手
１９２    シャッタ部材
１９４    出金リジェクト用シュート
１９８    バラ硬貨一括収納箱
２００    包装硬貨収納ユニット
２１０    包装硬貨搬送ユニット
２１８、２１９、２２０  分岐部材
２３０    包装硬貨出金部
２３２    包装硬貨一括収納箱
２３６    包装硬貨投出部
２５０    ロック機構
３００    制御部
３０２    操作表示部
３０４    印字部
３０６    記憶部
３０８    通信インターフェース部
３１０    外部装置
３２０    設定手段
４００    貨幣入出金機
４０２    筐体
４０４    紙幣処理部
４０６    硬貨処理部
４０８    上部引出ユニット
４０９    下部引出ユニット
４１０    紙幣入金口
４１１    シャッター
４１２    紙幣繰出機構
４１２ａ  キッカローラ
４１２ｂ  フィードローラ
４１２ｃ  ゲートローラ
４１４    搬送部
４１６    識別部
４１８    表裏反転部
４２０    一時保留部
４２０ａ  ステージ
４２０ｂ  紙幣繰出繰入部
４２２    カセット部
４２４    一括収納部
４２６    紙幣集積部
４４０    紙幣出金口
４４１    シャッター
４４２    リジェクト部
４４４    前面扉
４５０    硬貨入金口
４５２    硬貨出金ボックス
４８０    電源スイッチ
４８２    操作表示部
４８４    紙幣占有ボタン
４８６    硬貨占有ボタン
４９０    紙幣出金口ランプ
４９２    硬貨出金口ランプ
５００    制御部
５０２    記憶部
５０４    通信インターフェース部
５１０    外部装置
【図１】
2017126110.tif 000003
【図２】
2017126110.tif 000004
【図３】
2017126110.tif 000005
【図４】
2017126110.tif 000006
【図５】
2017126110.tif 000007
【図６】
2017126110.tif 000008
【図７】
2017126110.tif 000009
【図８】
2017126110.tif 000010
【図９】
2017126110.tif 000011
【図１０】
2017126110.tif 000012
【図１１】
2017126110.tif 000013
【図１２】
2017126110.tif 000014